(57)【要約】【課題】使用者が両手を読取作業以外の他の用途に使いやすく、且つ使用者の顔が向いている側の情報コードをスムーズに読み取ることができ、更に、身体への装着を行いやすい携帯型情報コード読取装置を提供する。【解決手段】携帯型情報コード読取装置１は、情報コードを撮像する撮像部２３と、撮像部２３によって撮像された情報コードを解読する処理部と、撮像部及び処理部を保持するケース１２と、ケース１２と一体的又はケース１２とは別体として設けられ、ケース１２を使用者の耳に取り付ける取付部６０とを備えている。【選択図】図１
2014167791.tif 000002
【特許請求の範囲】
【請求項１】
情報コードを撮像する撮像部と、
前記撮像部によって撮像された前記情報コードの画像を処理する処理部と、
前記撮像部及び前記処理部を保持するケースと、
前記ケースとは別体として設けられ、使用者の顔が向く側を撮像する構成で前記撮像部を使用者に取り付ける取付部と、
を備えたことを特徴とする携帯型情報コード読取装置。
【請求項２】
情報コードを撮像する撮像部と、
前記撮像部によって撮像された前記情報コードの画像を処理する処理部と、
前記撮像部及び前記処理部を保持するケースと、
前記ケースと一体的又は前記ケースとは別体として設けられ、前記ケースを、少なくとも使用者のいずれか一方の耳に取り付ける取付部と、
を備えたことを特徴とする携帯型情報コード読取装置。
【請求項３】
前記取付部は、前記ケースを、少なくとも使用者のいずれか一方の耳に取り付ける構成であることを特徴とする請求項１に記載の携帯型情報コード読取装置。
【請求項４】
前記取付部は、前記使用者の人体に掛けられる構成であることを特徴とする請求項１に記載の携帯型情報コード読取装置。
【請求項５】
前記ケースは、前記情報コードからの光を導入可能な読取口を備えており、
前記取付部は、前記ケースが前記使用者の顔の横位置に配置され且つ前記読取口が前記使用者の前側を向く構成で当該ケースを前記使用者の耳に取り付けることを特徴とする請求項２から請求項４のいずれか一項に記載の携帯型情報コード読取装置。
【請求項６】
前記ケースは、前記取付部の位置から所定方向に延びる延出部を備え、且つ前記延出部における前記取付部とは反対側の端部寄りに前記読取口が設けられており、
前記取付部は、前記延出部が前記使用者の耳から少なくとも前側に延びる構成で前記ケースを前記使用者の耳に取り付けることを特徴とする請求項５に記載の携帯型情報コード読取装置。
【請求項７】
前記取付部は、前記使用者の耳の穴に挿入される耳挿入部を有することを特徴とする請求項２から請求項６のいずれか一項に記載の携帯型情報コード読取装置。
【請求項８】
前記取付部は、前記使用者の耳に掛けられる耳掛け部を有することを特徴とする請求項２から請求項７のいずれか一項に記載の携帯型情報コード読取装置。
【請求項９】
前記耳掛け部は、前記ケースの一部又は前記ケースに連結された連結部に対して着脱可能とされており、
前記ケースの一部又は前記ケースに連結された連結部には、前記使用者の左耳に前記耳掛け部を取り付ける場合に前記耳掛け部が固定されるべき第１固定部と、前記使用者の右耳に前記耳掛け部を取り付ける場合に前記耳掛け部が固定されるべき第２固定部とが形成されていることを特徴とする請求項８に記載の携帯型情報コード読取装置。
【請求項１０】
前記耳掛け部は、前記ケースの一部又は前記ケースに連結された連結部に対して変位可能に設けられていることを特徴とする請求項８に記載の携帯型情報コード読取装置。
【請求項１１】
前記ケースは、前記情報コードからの光を導入可能な読取口を備えており、
前記取付部は、前記ケースが前記使用者の左耳側に取り付けられる場合でも、前記ケースが前記使用者の右耳側に取り付けられる場合でも、前記読取口が前記使用者の前側を向く構成で前記ケースを前記使用者の耳に取り付け可能とされていることを特徴とする請求項１から請求項１０のいずれか一項に記載の携帯型情報コード読取装置。
【請求項１２】
照明光を照射する照明光源及びマーカ光を照射するマーカ光照射部を有し、
前記取付部は、前記ケースが前記使用者の左耳側に取り付けられる場合でも、前記ケースが前記使用者の右耳側に取り付けられる場合でも、前記照明光源からの照射光及び前記マーカ光照射部からのマーカ光が前記使用者の前側に照射される構成で前記ケースを前記使用者の耳に取り付け可能とされていることを特徴とする請求項１から請求項１１のいずれか一項に記載の携帯型情報コード読取装置。
【請求項１３】
前記ケースの内部又は外部には、センサ部が設けられており、
前記処理部又は前記ケースの外部に設けられた外部処理部は、少なくとも前記センサ部で所定の検出結果が得られたことを条件として前記情報コードの解読を行うことを特徴とする請求項１から請求項１２のいずれか一項に記載の携帯型情報コード読取装置。
【請求項１４】
前記センサ部は、前記取付部が前記使用者の耳に取り付けられた所定状態を検知可能とされており、
前記処理部又は前記ケースの外部に設けられた外部処理部は、前記センサ部により前記所定状態が検知されたことを条件として、前記情報コードの解読を行うことを特徴とする請求項１３に記載の携帯型情報コード読取装置。
【請求項１５】
前記センサ部は、前記撮像部を有し、
前記撮像部は、前記ケースの外部の画像を連続的又は断続的に撮像可能とされており、
前記処理部又は前記ケースの外部に設けられた外部処理部は、前記撮像部によって撮像された画像が所定状態となったことを条件として、その条件成立後に前記情報コードを解読することを特徴とする請求項１３に記載の携帯型情報コード読取装置。
【請求項１６】
照明光を照射する照明光源及びマーカ光を照射するマーカ光照射部の少なくともいずれかと、
前記センサ部で所定の開始条件が成立したことを条件として、前記照明光源及び前記マーカ光照射部の少なくともいずれかを動作させ、前記照明光及び前記マーカ光の少なくともいずれかの照射を開始する照射制御部と、
を有することを特徴とする請求項１３から請求項１５のいずれか一項に記載の携帯型情報コード読取装置。
【請求項１７】
前記ケースの外側に設けられた外部装置と通信を行う通信部を備え、前記通信部により前記外部装置への情報送信又は前記外部装置からの情報受信が可能とされていることを特徴とする請求項１から請求項１６のいずれか一項に記載の携帯型情報コード読取装置。
【請求項１８】
前記ケース内又は前記ケースに取り付けられる部分には、少なくとも前記処理部又は前記ケースの外部に設けられた外部処理部での処理結果を報知する報知部が設けられていることを特徴とする請求項１から請求項１７のいずれか一項に記載の携帯型情報コード読取装置。
【請求項１９】
前記取付部は、前記使用者の耳の穴に挿入される耳挿入部を有し、
前記耳挿入部には、音声を発する発音部、又は音声を発する発音部からの音を導出する導出部が設けられていることを特徴とする請求項１から請求項１８のいずれか一項に記載の携帯型情報コード読取装置。
【請求項２０】
前記処理部又は前記ケースの外部に設けられた外部処理部が前記情報コードを解読して得られた解読情報に基づき、当該解読情報の解読後に対応すべき情報を音声案内する音声案内部を有することを特徴とする請求項１から請求項１９のいずれか一項に記載の携帯型情報コード読取装置。
【請求項２１】
前記ケースに保持されると共に前記ケースの外部に設けられた外部装置に電気的に接続されるケーブルを備えており、
前記ケースは、長手状に構成され、当該ケースの長手方向一方寄りに前記取付部が設けられ、前記ケースの長手方向一方側において当該ケースの短手方向一方側から前記ケーブルが前記ケース外に引き出されていることを特徴とする請求項１から請求項２０のいずれか一項に記載の携帯型情報コード読取装置。
【請求項２２】
前記ケースに固定されると共に前記ケースから引き出され、且つ前記ケースの外部に設けられた外部装置に電気的に接続されるケーブルを備えており、
前記取付部は、前記ケースの一方の壁部側に設けられ、
前記ケースの前記一方の壁部とは反対の壁部において前記取付部の裏側の位置に、前記ケースから引き出された前記ケーブルを支持するケーブル支持部が形成されていることを特徴とする請求項１から請求項２１のいずれか一項に記載の携帯型情報コード読取装置。
【請求項２３】
前記ケースにおいて前記取付部が設けられた壁部とは反対側の壁部には、前記取付部の裏側の位置に、外部操作が可能な操作スイッチが設けられていることを特徴とする請求項１から請求項２２のいずれか一項に記載の携帯型情報コード読取装置。
【請求項２４】
前記取付部は、前記使用者の耳の穴に挿入される着脱可能な耳挿入部、又は前記使用者の耳に掛けられる着脱可能な耳掛け部を有し、
更に、少なくとも前記取付部が前記ケースから取り外された場合に情報を報知する情報報知部が設けられていることを特徴とする請求項１から請求項２３に記載の携帯型情報コード読取装置。
【請求項２５】
音を発する発音部と、
前記発音部から発せられる音の音量を調整する音量調整部と、
を備えたことを特徴とする請求項１から請求項２４のいずれか一項に記載の携帯型情報コード読取装置。
【請求項２６】
前記取付部は、前記使用者の耳の穴に挿入される着脱可能な耳挿入部、又は前記使用者の耳に掛けられる着脱可能な耳掛け部を有し、
前記ケースから前記取付部を取り外した後に、その取り外した当該取付部とは異なる他の取付部材を前記ケースに取り付けることが可能とされていることを特徴とする請求項１から請求項２５のいずれか一項に記載の携帯型情報コード読取装置。
【請求項２７】
前記処理部又は前記ケースの外部に設けられた外部処理部が、前記撮像部によって撮像された前記情報コードに記録されたデータを解読する解読部を備えており、
前記ケースと一体的に、外部に光を照射する光源が組み付けられ、
更に、前記解読部による前記情報コードの解読結果が、所定の成功状態である場合と、前記所定の成功状態ではない所定の失敗状態である場合とを判定可能な判定部と、
前記光源からの光の照射状態を、前記判定部による判定結果に応じた状態に制御する照射状態制御部と、
を備えることを特徴とする請求項１から請求項２６のいずれか一項に記載の携帯型情報コード読取装置。
【請求項２８】
前記撮像部は、前記光源によって前記ケースの外部に向けて光が照射された状態で前記ケースの外部を撮像する構成であり、
前記解読部は、前記光源によって前記ケースの外部に光が照射された状態で前記撮像部によって撮像された前記情報コードを解読する構成であり、
前記照射状態制御部は、前記解読部によって前記情報コードの解読が試みられた後、前記光源からの光の照射状態を、前記判定部による判定結果に応じた状態に制御することを特徴とする請求項２７に記載の携帯型情報コード読取装置。
【請求項２９】
前記光源とは別光源として構成され、前記ケースの外部に向けて光を照射する照明光照射部を備え、
前記撮像部は、前記照明光照射部によって前記ケースの外部に向けて光が照射された状態で前記ケースの外部を撮像する構成であり、
前記解読部は、前記照明光照射部によって前記ケースの外部に光が照射された状態で前記撮像部によって撮像された前記情報コードを解読する構成であり、
前記照射状態制御部は、前記解読部によって前記情報コードの解読が試みられた後に、前記光源からの光の照射状態を、前記判定部による判定結果に応じた状態に制御することを特徴とする請求項２７に記載の携帯型情報コード読取装置。
【請求項３０】
前記照射状態制御部は、前記判定部によって前記所定の成功状態であると判定された場合の前記光源からの光の点灯時間又は消灯時間のいずれかの時間の間隔を、前記判定部によって前記所定の失敗状態と判定された場合の前記光源からの光の点灯時間又は消灯時間の前記いずれかの時間の間隔と異ならせる制御を行うことを特徴とする請求項２７から請求項２９のいずれか一項に記載の携帯型情報コード読取装置。
【請求項３１】
前記照射状態制御部は、前記判定部によって前記所定の成功状態であると判定された場合、前記光源から第１色の光を照射する第１色照射状態とし、前記判定部によって前記所定の失敗状態と判定された場合、前記光源から前記第１色とは異なる第２色の光を照射する第２色照射状態とすることを特徴とする請求項２７から請求項３０のいずれか一項に記載の携帯型情報コード読取装置。
【請求項３２】
前記照射状態制御部は、前記判定部によって前記所定の成功状態又は前記所定の失敗状態のいずれか一方の状態と判定された場合、前記光源からの光の照射状態を、前記光源からの光が照射される照射対象物に対して所定の情報を表示する第１表示状態とし、いずれか他方の状態と判定された場合、前記光源からの光の照射状態を、前記第１表示状態とは異なる照射状態とすることを特徴とする請求項２７から請求項３１のいずれか一項に記載の携帯型情報コード読取装置。
【請求項３３】
前記取付部は、前記使用者の右耳に取り付けられる右耳取付部と、前記使用者の左耳に取り付けられる左耳取付部と、前記右耳取付部と前記左耳取付部とを連結する中間連結部とを有することを特徴とする請求項１から請求項３２のいずれか一項に記載の携帯型情報コード読取装置。
【請求項３４】
前記取付部は、前記ケースとは別体として構成され、前記使用者の顔の右側に配置されると共に前記ケースを着脱可能な右側装着部と、前記使用者の顔の左側に配置されると共に前記ケースを着脱可能な左側装着部とを有することを特徴とする請求項１から請求項３３のいずれか一項に記載の携帯型情報コード読取装置。
【請求項３５】
前記ケース及び前記取付部のいずれか一方には磁石が配置され、他方には前記磁石に吸引される吸引部が配置されており、
前記ケースが前記右側装着部に装着される場合には、前記ケースと前記右側装着部とが前記磁石と前記吸引部との吸引によって保持され、前記ケースが前記左側装着部に装着される場合には、前記ケースと前記左側装着部とが前記磁石と前記吸引部との吸引によって保持されることを特徴とする請求項３４に記載の携帯型情報コード読取装置。
【請求項３６】
前記ケースには、前記右側装着部に形成された右側被嵌合部と嵌合可能に構成され、前記左側装着部に形成された左側被嵌合部と嵌合可能に構成された嵌合部が形成されており、
前記ケースが前記右側装着部に取り付けられる時に、前記嵌合部と前記右側被嵌合部とが嵌合し、
前記ケースが前記左側装着部に取り付けられる時に、前記嵌合部と前記左側被嵌合部とが嵌合することを特徴とする請求項３４又は請求項３５に記載の携帯型情報コード読取装置。
【請求項３７】
前記右側装着部に対して前記ケースを着脱可能に連結し、且つ前記右側装着部に対して前記ケースを連結した際に前記右側装着部に対する前記ケースの姿勢が第１所定姿勢となるようにガイドする第１ガイド部と、
前記左側装着部に対して前記ケースを着脱可能に連結し、且つ前記左側装着部に対して前記ケースを連結した際に前記左側装着部に対する前記ケースの姿勢が第２所定姿勢となるようにガイドする第２ガイド部と、
を有することを特徴とする請求項３４から請求項３６のいずれか一項に記載の携帯型情報コード読取装置。
【請求項３８】
前記ケース側に設けられた少なくとも２つのケース側連結部と、
前記右側装着部側に設けられた少なくとも２つの右側連結部と、
前記左側装着部側に設けられた少なくとも２つの左側連結部と、
を備え、
前記第１ガイド部は、少なくとも２つの前記ケース側連結部と少なくとも２つの前記右側連結部とがそれぞれ連結されることにより前記ケースを前記右側装着部に取り付ける構成であり、
前記第２ガイド部は、少なくとも２つの前記ケース側連結部と少なくとも２つの前記左側連結部とがそれぞれ連結されることにより前記ケースを前記左側装着部に取り付けることを特徴とする請求項３７に記載の携帯型情報コード読取装置。
【請求項３９】
２つの前記ケース側連結部として、永久磁石として構成される第１ケース側連結部と、永久磁石として構成される第２ケース側連結部とが設けられ、
２つの前記右側連結部として、永久磁石として構成される第１右側連結部と、永久磁石として構成される第２右側連結部とが設けられ、
２つの前記左側連結部として、永久磁石として構成される第１左側連結部と、永久磁石として構成される第２左側連結部とが設けられ、
前記第１ケース側連結部は、前記第１右側連結部及び前記第１左側連結部と極性が異なり、且つ前記第２右側連結部及び前記第２左側連結部と極性が同じであり、
前記第２ケース側連結部は、前記第２右側連結部及び前記第２左側連結部と極性が異なり、前記第１右側連結部及び前記第１左側連結部と極性が同じであることを特徴とする請求項３８に記載の携帯型情報コード読取装置。
【請求項４０】
前記取付部は、前記使用者のいずれかの耳に掛けられて支持される被支持部と、前記被支持部から延びる前側延出部と、前記前側延出部に連結されると共に前記ケースを保持する保持部と、を少なくとも備え、
前記使用者に前記取付部を取り付けた取付時に、前記前側延出部が前記被支持部よりも前側に延びて配置され、前記被支持部を支持する耳の耳孔よりも前位置に前記保持部が配置されることを特徴とする請求項１から請求項３９のいずれか一項に記載の携帯型情報コード読取装置。
【請求項４１】
前記保持部は、前記耳孔よりも前位置において前記使用者の顔に対向する裏面部と、前記裏面部の反対側に配置された表面部とを備えており、前記ケースを前記表面部で保持することを特徴とする請求項４０に記載の携帯型情報コード読取装置。
【請求項４２】
前記ケースにおいて前記取付部に取り付けられる側の壁部には、音を導出する導出孔が形成されており、
前記ケースが前記取付部に取り付けられた取り付け時には、前記取付部の一部をなす被覆部によって前記導出孔の少なくとも一部が覆われ、前記ケースが前記取付部から取り外された取り外し時には、前記導出孔において前記取り付け時に前記被覆部によって覆われる部分が露出することを特徴とする請求項１から請求項４１のいずれか一項に記載の携帯型情報コード読取装置。
【発明の詳細な説明】
【技術分野】
【０００１】
本発明は、携帯型情報コード読取装置に関するものである。
【背景技術】
【０００２】
従来から提供されている携帯型の情報コード読取装置は、使用者が装置を手で持って情報コードに向ける操作を行い、その情報コードを読み取るような方式のものが一般的である。しかしながら、このように手で持つことを必須とする構成では、使用者の片手が他の作業に使えなくなってしまうという問題があり、作業性を高めにくかった。
【先行技術文献】
【特許文献】
【０００３】
【特許文献１】特開平８−２７２４８４号公報
【特許文献２】特許第３０２０９４３号広報
【発明の概要】
【発明が解決しようとする課題】
【０００４】
ところで、特許文献１、２には、使用者が装置を手で持たなくても情報コードを読み取ることができる構成が開示されている。例えば特許文献１で開示される携帯型トランザクション端末は、使用者の頭に嵌めるバンド１２を備え、このバンド１２から顔の前方側にアーム２２が伸びており、眼鏡状のスクリーン３４が設けられている。そして、そのスクリーン３４の上部にバーコード読取り装置２４が設けられている。また、特許文献２の図１で開示される携帯型コード読取装置では、使用者の頭にハチマキ状に取り付けられるバンド２に２次元撮像ユニット１００が固定された構成となっている。
【０００５】
しかしながら、特許文献１の構成や、特許文献２の図１のように、読取装置をバンドなどに完全に固定した上で使用者の頭にバンドなどを嵌めて取り付けるような構成では、使用者の顔が向く側を読取エリアとするように読取装置の向きをより正確に定めて装着するといった作業を迅速且つ容易に行いにくいという問題がある。
【０００６】
本発明は、上述した課題を解決するためになされたものであり、使用者が両手を読取作業以外の他の用途に使いやすく、且つ使用者の顔の動きと連動させて読み取る方向を定めることができ、更に、身体への装着を行いやすい携帯型情報コード読取装置を提供することを目的とする。
【課題を解決するための手段】
【０００７】
第１の発明は、情報コードを撮像する撮像部と、
前記撮像部によって撮像された前記情報コードの画像を処理する処理部と、
前記撮像部及び前記処理部を保持するケースと、
前記ケースとは別体として設けられ、使用者の顔が向く側を撮像する構成で前記撮像部を使用者に取り付ける取付部と、
を備えたことを特徴とする。
【０００８】
また、第２の発明は、情報コードを撮像する撮像部と、
前記撮像部によって撮像された前記情報コードの画像を処理する処理部と、
前記撮像部及び前記処理部を保持するケースと、
前記ケースと一体的又は前記ケースとは別体として設けられ、前記ケースを、少なくとも使用者のいずれか一方の耳に取り付ける取付部と、
を備えたことを特徴とする。
【発明の効果】
【０００９】
請求項１の構成によれば、撮像部及び処理部を保持するケースを取付部によって使用者の顔が向く側に向けるように取り付けることが可能となる。従って、手以外の部分に撮像部等を取り付けながら顔の向きに合わせた読取作業を行うことができ、使用者が両手を読取作業以外の他の用途に使いやすくなる。
【００１０】
請求項２、請求項３の構成では、撮像部及び処理部を保持するケースを耳に取り付けることができるため、顔の動きとケースが連動することになり、使用者の顔の動きに合わせて撮像する方向を定めることができる。更に、ケースを耳に取り付けることができるため、他の装着具（ヘルメットや眼鏡等）が使用される場合でも装着しやすくなる。
【００１１】
請求項４の構成では、取付部が使用者の人体に掛けられる構成であるため、取付部を容易に使用者に装着しやすくなる。
【００１２】
請求項５の発明では、ケースは、情報コードからの光を導入可能な読取口を備えており、取付部は、ケースが使用者の顔の横位置に配置され且つ読取口が使用者の前側を向く構成で当該ケースを使用者の耳に取り付ける構成となっている。この構成によれば、使用者の顔の向きと読み取りの方向が良好に連動しやすくなり、使用者の顔が向く側に配置された情報コードを違和感なくスムーズに読み取りやすくなる。
【００１３】
請求項６の発明では、ケースは、取付部の位置から所定方向に延びる延出部を備え、且つ延出部における取付部とは反対側の端部寄りに読取口が設けられており、取付部は、延出部が使用者の耳から少なくとも前側に延びる構成でケースを使用者の耳に取り付ける構成となっている。このようにケースを耳よりもやや前に延出させ、その端部側の読取口を介して情報コードを読み取るようにすると、使用者の顔を極力撮像エリアから除いて顔の前の空間をより広く撮像しやすくなる。
【００１４】
請求項７の発明では、取付部は、使用者の耳の穴に挿入される耳挿入部を有している。この構成によれば、耳の穴を利用してケースを保持することができる。更に、取付部の位置と耳の穴の位置を正確に位置合わせすることができるため、耳の穴を基準としてケースの位置を正確に定めやすくなる。
【００１５】
請求項８の発明では、取付部は、使用者の耳に掛けられる耳掛け部を有している。この構成によれば、ケースを使用者の耳により安定的に保持しやすくなる。
【００１６】
請求項９の発明では、耳掛け部は、ケースの一部又はケースに連結された連結部に対して着脱可能とされており、ケースの一部又はケースに連結された連結部には、使用者の左耳に耳掛け部を取り付ける場合に耳掛け部が固定されるべき第１固定部と、使用者の右耳に耳掛け部を取り付ける場合に耳掛け部が固定されるべき第２固定部とが形成されていることを特徴とする。この構成によれば、使用者の右の耳にも左の耳にもケースを取り付けることができ、各耳に取り付けるときには、耳掛け部をその耳に合わせた位置に固定することができる。
【００１７】
請求項１０の発明では、耳掛け部は、ケースの一部又はケースに連結された連結部に対して変位可能に設けられている。この構成によれば、使用者がどのように装着するかに合わせて耳掛け部の位置を調整しやすくなる。
【００１８】
請求項１１の発明では、ケースは、情報コードからの光を導入可能な読取口を備えており、取付部は、ケースが使用者の左耳側に取り付けられる場合でも、ケースが使用者の右耳側に取り付けられる場合でも、読取口が使用者の前側を向く構成でケースを使用者の耳に取り付け可能とされているこの構成によれば、ケースを使用者の右耳側に取り付けた場合でも、左耳側に取り付けた場合でも、使用者の顔の向きと読み取りの方向を良好に連動させることができる。
【００１９】
請求項１２の発明では、照明光を照射する照明光源及びマーカ光を照射するマーカ光照射部を有し、取付部は、ケースが使用者の左耳側に取り付けられる場合でも、ケースが使用者の右耳側に取り付けられる場合でも、照明光源からの照射光及びマーカ光照射部からのマーカ光が使用者の前側に照射される構成でケースを使用者の耳に取り付け可能とされている。この構成によれば、ケースを使用者の右耳側に取り付けた場合でも、左耳側に取り付けた場合でも、読取側である使用者の前側に照明光及びマーカ光を照射可能となる。
【００２０】
請求項１３の発明では、ケースの内部又は外部に、センサ部が設けられており、
処理部又はケースの外部に設けられた外部処理部は、少なくともセンサ部で所定の検出結果が得られたことを条件として情報コードの解読を行う構成となっている。この構成では、センサ部で所定の検出結果が検出されるまでは、処理部又は外部処理部による解読処理を停止させて省電力化を図ることができ、センサ部で所定の検出結果が生じるように対応をとることで解読開始状態に復帰させることができる。
【００２１】
請求項１４の発明では、センサ部は、取付部が使用者の耳に取り付けられた所定状態を検知可能とされており、処理部又はケースの外部に設けられた外部処理部は、センサ部により所定状態が検知されたことを条件として、情報コードの解読を行う構成となっている。この構成では、取付部が使用者の耳に取り付けられるまでは、処理部又は外部処理部による解読処理を停止させて省電力化を図ることができ、取付部が耳に取り付けられた場合には解読開始状態に復帰させることができる。
【００２２】
請求項１５の発明では、センサ部が撮像部を有しており、撮像部は、ケースの外部の画像を連続的又は断続的に撮像可能とされており、処理部又はケースの外部に設けられた外部処理部は、撮像部によって撮像された画像が所定状態となったことを条件として、その条件成立後に情報コードを解読する構成となっている。この構成では、撮像部で撮像された画像が所定状態となるまでは、処理部又は外部処理部による解読処理を停止させて省電力化を図ることができ、撮像部にて所定状態の画像が撮像されるように対応をとることで解読開始状態に復帰させることができる。
【００２３】
請求項１６の発明では、照明光を照射する照明光源及びマーカ光を照射するマーカ光照射部の少なくともいずれかと、センサ部で所定の開始条件が成立したことを条件として、照明光源及びマーカ光照射部の少なくともいずれかを動作させ、照明光及びマーカ光の少なくともいずれかの照射を開始する照射制御部と、を有する。この構成では、センサ部で所定の開始条件が成立するまでは照明光源及びマーカ光照射部の少なくともいずれかを動作させずに一層の省電力化を図ることができ、所定の開始条件が成立するように対応することで、照明光源及びマーカ光照射部の少なくともいずれかを動作させ、読み取りを行いやすくすることができる。
【００２４】
請求項１７の発明では、ケースの外側に設けられた外部装置と通信を行う通信部を備え、通信部により外部装置への情報送信又は外部装置からの情報受信が可能とされている。この構成によれば、外部装置との間で情報のやり取りを行うことができるため、ケース内に全ての処理機能を持たせずに一部を外部装置で分担することができる。従って、ケース側の構成を簡素化しやすくなり、小型化、軽量化の面で有利となる。
【００２５】
請求項１８の発明では、ケース内又はケースに取り付けられる部分には、少なくとも処理部又はケースの外部に設けられた外部処理部での処理結果を報知する報知部が設けられている。この構成によれば、処理部又は外部処理部での処理結果を使用者に良好に伝達することができる。特に、耳の近くで報知がなされるため、報知されたことが使用者により確実に伝達されやすくなる。
【００２６】
請求項１９の発明では、取付部は、使用者の耳の穴に挿入される耳挿入部を有し、耳挿入部には、音声を発する発音部、又は音声を発する発音部からの音を導出する導出部が設けられている。この構成によれば、耳挿入部を、取り付ける部材として機能させるだけでなく、イヤホンとしても機能させることができる。更に、この取付構造では、発生する音声を耳に挿入された部分から直接的に耳に伝達することができるため、小さな音声出力でもその内容を確実に使用者に伝えることができる。このような効果は、使用時に騒音が想定されるケースで一層顕著となる。
【００２７】
請求項２０の発明は、処理部又はケースの外部に設けられた外部処理部が情報コードを解読して得られた解読情報に基づき、当該解読情報の解読後に対応すべき情報を音声案内する音声案内部を有する。この構成によれば、情報コードの解読後に使用者が迅速且つ適切に対応しやすくなる。
【００２８】
請求項２１の発明では、ケースに保持されると共にケースの外部に設けられた外部装置に電気的に接続されるケーブルを備えており、ケースは、長手状に構成され、当該ケースの長手方向一方寄りに取付部が設けられ、ケースの長手方向一方側において当該ケースの短手方向一方側からケーブルがケース外に引き出されている。この構成によれば、ケースがある程度引っ張られてもケースに回転力が生じにくいため、使用者の顔に対するケースの相対的な向きが安定的に維持されやすくなる。
【００２９】
請求項２２の発明では、ケースに固定されると共にケースから引き出され、且つケースの外部に設けられた外部装置に電気的に接続されるケーブルを備えており、取付部は、ケースの一方の壁部側に設けられ、ケースの一方の壁部とは反対の壁部において取付部の裏側の位置に、ケースから引き出されたケーブルを支持するケーブル支持部が形成されている。この構成では、ケースがある程度引っ張られても回転中心部となる取付部の裏側でケーブルが受けられ、取付部付近を中心とするモーメントが生じにくいため、ケースが回転しにくくなる。従って、使用者の顔に対するケースの相対的な向きが安定的に維持されやすくなる。
【００３０】
請求項２３の発明では、ケースにおいて取付部が設けられた壁部とは反対側の壁部には、取付部の裏側の位置に、外部操作が可能な操作スイッチが設けられている。この構成では、回転中心部となる取付部の裏側で操作スイッチが操作されるため、操作スイッチに対して押圧操作等がなされたとしても、その操作力によって取付部付近と中心とするモーメントが生じにくいため、ケースが回転しにくくなる。従って、使用者の顔に対するケースの相対的な向きが安定的に維持されやすくなる。
【００３１】
請求項２４の発明では、取付部は、使用者の耳の穴に挿入される着脱可能な耳挿入部、又は使用者の耳に掛けられる着脱可能な耳掛け部を有し、更に、少なくとも取付部がケースから取り外された場合に情報を報知する情報報知部が設けられている。
この構成によれば、取付部をケースから取り外し、例えば手持ち式などとして使用しやすくなる。また、取付部を取り外して使用する場合でも、情報を報知することが可能となり、利便性が一層高まる。
【００３２】
請求項２５の発明は、音を発する発音部と、発音部から発せられる音の音量を調整する音量調整部と、を備えている。この構成によれば、当該情報コード読取装置で発せられる音の音量を装置内で調整できるようになる。
【００３３】
請求項２６の発明では、取付部は、使用者の耳の穴に挿入される着脱可能な耳挿入部、又は使用者の耳に掛けられる着脱可能な耳掛け部を有し、ケースから取付部を取り外した後に、その取り外した当該取付部とは異なる他の取付部材をケースに取り付けることが可能とされている。この構成によれば、取付部を別部品に交換することができ、使い勝手が一層良くなる。特に、使う人毎に取付部を交換できるようにしたり、或いは、取付部を取り外して他機能の別部品と交換できるようにすると、利便性の面で一層有利になる。
【００３４】
請求項２７の発明では、処理部又はケースの外部に設けられた外部処理部が、撮像部によって撮像された前記情報コードに記録されたデータを解読する解読部を備えている。そして、ケースと一体的に、外部に光を照射する光源が組み付けられ、更に、解読部による情報コードの解読結果が、所定の成功状態である場合と、所定の成功状態ではない所定の失敗状態である場合とを判定可能な判定部と、光源からの光の照射状態を、判定部による判定結果に応じた状態に制御する照射状態制御部と、を備えている。
この構成によれば、ケースを使用者の身体に装着してケースを直接的に目視しにくい状態であっても、使用者は光源からの光の照射状態によって、情報コードの解読結果を把握することができる。
【００３５】
請求項２８の発明では、撮像部は、光源によってケースの外部に向けて光が照射された状態でケースの外部を撮像する構成であり、解読部は、光源によってケースの外部に光が照射された状態で撮像部によって撮像された情報コードを解読する構成であり、照射状態制御部は、解読部によって情報コードの解読が試みられた後、光源からの光の照射状態を、判定部による判定結果に応じた状態に制御する構成となっている。
この構成によれば、撮像部での撮像時に用いる光源を利用して情報コードの解読結果を報知することができるため、装置構成の簡素化を図りやすくなる。
【００３６】
請求項２９の発明では、光源とは別光源として構成され、ケースの外部に向けて光を照射する照明光照射部を備え、撮像部は、照明光照射部によってケースの外部に向けて光が照射された状態でケースの外部を撮像する構成であり、解読部は、照明光照射部によってケースの外部に光が照射された状態で撮像部によって撮像された情報コードを解読する構成であり、照射状態制御部は、解読部によって情報コードの解読が試みられた後に、光源からの光の照射状態を、判定部による判定結果に応じた状態に制御する構成となっている。
この構成では、撮像部での撮像時に照明光を照射する光源（照明光照射部）とは異なる光源を利用して情報コードの解読結果を報知することができるため、報知に適した光源をより自由に選定しやすくなる。
【００３７】
請求項３０の発明では、照射状態制御部は、判定部によって所定の成功状態であると判定された場合の光源からの光の点灯時間又は消灯時間のいずれかの時間の間隔を、判定部によって所定の失敗状態と判定された場合の光源からの光の点灯時間又は消灯時間のいずれかの時間の間隔と異ならせる制御を行う構成となっている。
この構成によれば、光源からの光の点灯時間又は消灯時間を調整することによって情報コードの解読結果を報知することができるため、ハードウェア的な負担を抑え、より簡易な制御によって報知することが可能となる。
【００３８】
請求項３１の発明では、照射状態制御部は、判定部によって所定の成功状態であると判定された場合、光源から第１色の光を照射する第１色照射状態とし、判定部によって所定の失敗状態と判定された場合、光源から第１色とは異なる第２色の光を照射する第２色照射状態とする構成となっている。
この構成によれば、所定の成功状態のときの報知色と、所定の失敗状態のときの報知色とが異なるため、各状態をより確実に把握しやすくなる。
【００３９】
請求項３２の発明では、照射状態制御部は、判定部によって所定の成功状態又は所定の失敗状態のいずれか一方の状態と判定された場合、光源からの光の照射状態を、光源からの光が照射される照射対象物に対して所定の情報を表示する第１表示状態とし、いずれか他方の状態と判定された場合、光源からの光の照射状態を、第１表示状態とは異なる照射状態とする構成となっている。
この構成によれば、少なくとも所定の成功状態又は所定の失敗状態のときに外部に情報を表示することができるため、使用者は、ケースを目視しにくい状況であっても、装置から提供される具体的な情報を把握しやすくなる。
【００４０】
請求項３３の発明では、取付部は、使用者の右耳に取り付けられる右耳取付部と、使用者の左耳に取り付けられる左耳取付部と、右耳取付部と左耳取付部とを連結する連結部とを有する。
この構成によれば、取付部が両耳に取り付けられるため、装着時の安定性が増し、顔の動きとケースとを、より安定的に連動させやすくなる。また、ケースを耳に取り付けることができるため、他の装着具（ヘルメットや眼鏡等）が使用される場合でも人体に装着しやすくなる。
【００４１】
請求項３４の発明では、取付部は、ケースとは別体として構成され、使用者の顔の右側に配置されると共にケースを着脱可能な右側装着部と、使用者の顔の左側に配置されると共にケースを着脱可能な左側装着部とを有している。
この構成によれば、ケースを使用者の顔の右側にも左側にも装着可能となり、装着の自由度が増す。
【００４２】
請求項３５の発明では、ケース及び取付部のいずれか一方には磁石が配置され、他方には磁石に吸引される吸引部が配置されており、ケースが右側装着部に装着される場合には、ケースと右側装着部とが磁石と吸引部との吸引によって保持され、ケースが左側装着部に装着される場合には、ケースと左側装着部とが磁石と吸引部との吸引によって保持される構成となっている。
この構成によれば、ケースを顔の右側に装着する場合でも、左側に装着する場合でも、磁石の吸引力を利用して容易に装着しやすくなる。また、取付部からのケースの取り外しや、付け替えなども容易に行いやすくなる。
【００４３】
請求項３６の発明では、ケースには、右側装着部に形成された右側被嵌合部と嵌合可能に構成され、左側装着部に形成された左側被嵌合部と嵌合可能に構成された嵌合部が形成されており、ケースが右側装着部に取り付けられる時に、嵌合部と右側被嵌合部とが嵌合し、ケースが左側装着部に取り付けられる時に、嵌合部と左側被嵌合部とが嵌合する構成となっている。
この構成では、ケースが顔の右側に装着される場合でも、左側に装着される場合でも、嵌合状態で取り付けられるため、ケースが位置ずれしにくくなる。
【００４４】
請求項３７の発明は、右側装着部に対してケースを着脱可能に連結し、且つ右側装着部に対してケースを連結した際に右側装着部に対するケースの姿勢が第１所定姿勢となるようにガイドする第１ガイド部と、左側装着部に対してケースを着脱可能に連結し、且つ左側装着部に対してケースを連結した際に左側装着部に対するケースの姿勢が第２所定姿勢となるようにガイドする第２ガイド部と、を有する。
この構成では、ケースが顔の右側に装着される場合でも、左側に装着される場合でも、取付部に対するケースの姿勢を安定的に定めることができる。
【００４５】
請求項３８の発明では、ガイド部は、ケース側に設けられた少なくとも２つのケース側連結部と、右側装着部側に設けられた少なくとも２つの右側連結部と、左側装着部側に設けられた少なくとも２つの左側連結部と、を備えており、少なくとも２つのケース側連結部と少なくとも２つの右側連結部とがそれぞれ連結されることによりケースが右側装着部に取り付けられ、少なくとも２つのケース側連結部と少なくとも２つの左側連結部とがそれぞれ連結されることによりケースが左側装着部に取り付けられる構成となっている。
この構成によれば、ケースが顔の右側に装着される場合でも、左側に装着される場合でも、取付部に定められた少なくとも２つの連結部に対し、ケースに設けられた２つの連結部（ケース側連結部）を合わせるように連結する構成であるため、ケースの向きが所望の方向を向くように、より正確に設定されやすくなる。
【００４６】
請求項３９の発明では、２つのケース側連結部として、永久磁石として構成される第１ケース側連結部と、永久磁石として構成される第２ケース側連結部とが設けられ、２つの右側連結部として、永久磁石として構成される第１右側連結部と、永久磁石として構成される第２右側連結部とが設けられ、２つの左側連結部として、永久磁石として構成される第１左側連結部と、永久磁石として構成される第２左側連結部とが設けられ、第１ケース側連結部は、第１右側連結部及び第１左側連結部と極性が異なり、且つ第２右側連結部及び第２左側連結部と極性が同じであり、第２ケース側連結部は、第２右側連結部及び第２左側連結部と極性が異なり、第１右側連結部及び第１左側連結部と極性が同じになっている。
この構成では、ケースが顔の右側に装着される場合でも、左側に装着される場合でも、少なくとも２位置で磁石同士が引き合う力を利用してケースを適正な位置により強くより正確に導くことができ、位置合わせや連結の負担をより低減することができる。更に、ケースが顔の右側に装着される場合でも、左側に装着される場合でも、対応しない連結部同士を合わせるように逆に取り付けた場合、対応しない連結部同士が同極性であるため、各位置で連結部同士が反発し合うことになり、連結されないことになる。従って、ケースが顔の右側に装着される場合でも、左側に装着される場合でも、正規の向きの場合には、取付部に対するケースの位置合わせをより正確かつ迅速に行い易くなり、逆向きでの異常な連結については、より確実に防ぐことができる。
【００４７】
請求項４０の発明では、取付部は、使用者のいずれかの耳に掛けられて支持される被支持部と、被支持部から延びる前側延出部と、前側延出部に連結されると共にケースを保持する保持部と、を少なくとも備え、使用者に取付部を取り付けた取付時に、前側延出部が被支持部よりも前側に延びて配置され、被支持部を支持する耳の耳孔よりも前位置に保持部が配置される構成となっている。
この構成では、ケースを保持する保持部が使用者の耳孔よりも前位置に配置されるため、保持部が使用者の耳孔を塞ぎにくくなる。
【００４８】
請求項４１の発明では、保持部は、耳孔よりも前位置において使用者の顔に対向する裏面部と、裏面部の反対側に配置された表面部とを備えており、ケースを表面部で保持する構成となっている。
この構成では、ケースが使用者の顔から離れた位置に配置される表面部で保持されるため、表面部に保持されるケースが使用者の耳孔を塞ぎにくくなる。
【００４９】
請求項４２の発明では、ケースにおいて取付部に取り付けられる側の壁部には、音を導出する導出孔が形成されており、ケースが取付部に取り付けられた取り付け時には、取付部の一部をなす被覆部によって導出孔の少なくとも一部が覆われ、ケースが取付部から取り外された取り外し時には、導出孔において取り付け時に被覆部によって覆われる部分が露出する構成となっている。
この構成では、ケースが顔の近くに配置されるような装着時には、導出孔を塞ぐことで相対的に音を抑制することができ、音発生源が使用者の耳の近くにある場合でも、使用者に大きな音が届きすぎることを抑えることができる。一方、ケースが顔から離れて使用されやすい非装着時には、導出孔を露出させることで相対的に音を大きくすることができ、音発生源が使用者の耳からある程度離れている場合でも、使用者に音が届きやすくなる。
【図面の簡単な説明】
【００５０】
【図１】図１は、本発明の第１実施形態に係る携帯型情報コード読取装置を概略的に例示する斜視図である。
【図２】図２は、図１の携帯型情報コード読取装置の電気的構成を概略的に例示するブロック図である。
【図３】図３は、図１の携帯型情報コード読取装置の使用状態を示す説明図である。
【図４】図４は、図１の携帯型情報コード読取装置を横方向一方側から見た側面図である。
【図５】図５は、図１の携帯型情報コード読取装置を図４とは異なる側から見た側面図である。
【図６】図６は、図１の携帯型情報コード読取装置の底面図である。
【図７】図７（Ａ）は、図１の携帯型情報コード読取装置の正面図であり、図７（Ｂ）は、図７（Ａ）の状態から上下逆にした状態を示す図である。
【図８】図８は、図１の携帯型情報コード読取装置の背面図である。
【図９】図９（Ａ）は、図１の携帯型情報コード読取装置を右耳に取り付けるときの耳掛け部の配置構造等を簡略的に示す説明図であり、図９（Ｂ）は、その携帯型情報コード読取装置を左耳に取り付けるときの耳掛け部の配置構造等を簡略的に示す説明図である。
【図１０】図１０は、図１の携帯型情報コード読取装置と外部装置とで行われる連携処理の一例を示すチャートである。
【図１１】図１１は、図１の携帯型情報コード読取装置が実際に使用されている様子を概略的に示す図である。
【図１２】図１２は、センサ部の一例としての瞬き検出センサを概略的に例示する説明図である。
【図１３】図１３は、図１２の瞬き検出センサでの瞬きの検出の考え方を説明する説明図である。
【図１４】図１４は、耳挿入部を着脱可能に構成した例を概略的に示す斜視図である。
【図１５】図１５は、図１４の構成の正面図である。
【図１６】図１６（Ａ）は、図１４のように耳挿入部を取り外し、別部材を取り付ける様子を概略的に示す正面図であり、図１６（Ｂ）は、その別部材を図１６（Ａ）とは異なる角度から見た図である。
【図１７】図１７は、第２実施形態に係る携帯型情報コード読取装置で行われる読取処理の流れを例示するフローチャートである。
【図１８】図１８は、第２実施形態に係る携帯型情報コード読取装置で行われる読み取りの様子を概念的に説明する説明図である。
【図１９】図１９は、第２実施形態の変更例１に係る携帯型情報コード読取装置で行われる読取処理の流れを例示するフローチャートである。
【図２０】図２０は、第２実施形態の変更例１に係る携帯型情報コード読取装置で行われる読み取りの様子を概念的に説明する説明図である。
【図２１】図２１は、第２実施形態の変更例２に係る携帯型情報コード読取装置で行われる読取処理の流れを例示するフローチャートである。
【図２２】図２２（Ａ）は、第２実施形態の変更例２に係る携帯型情報コード読取装置で行われる読み取りの様子を概念的に説明する説明図であり、図２２（Ｂ）は、所定の成功状態のときの光源による表示例を示す説明図であり、図２２（Ｃ）は、所定の失敗状態のときの光源による表示例を示す説明図である。
【図２３】図２３は、第３実施形態に係る携帯型情報コード読取装置が使用される様子を例示する説明図である。
【図２４】図２４は、第３実施形態に係る携帯型情報コード読取装置を概略的に例示する斜視図である。
【図２５】図２５は、第３実施形態に係る携帯型情報コード読取装置を図２４とは異なる方向から見た斜視図である。
【図２６】図２６は、第３実施形態に係る携帯型情報コード読取装置を図２４、図２５とは異なる方向から見た斜視図である。
【図２７】図２７は、第３実施形態に係る携帯型情報コード読取装置を図２４〜図２６とは異なる方向から見た斜視図である。
【図２８】図２８は、第３実施形態に係る携帯型情報コード読取装置において、装置本体を左側装着部に装着した様子を例示する斜視図である。
【図２９】図２９は、第３実施形態に係る携帯型情報コード読取装置が装着された使用者の顔付近を例示する説明図である。
【図３０】図３０は、図２５の構成から装置本体及び保持部材を分解した様子を示す斜視図である。
【図３１】図３１は、第３実施形態に係る携帯型情報コード読取装置において、ケースを取付部から取り外した様子を簡略的に示す斜視図である。
【図３２】図３２は、第３実施形態に係る携帯型情報コード読取装置の一部である取付部を例示する斜視図である。
【図３３】図３３は、第３実施形態に係る携帯型情報コード読取装置の一部である装置本体を例示する側面図である。
【図３４】図３４は、図３３の装置本体を図３３とは反対側から見た側面図である。
【図３５】図３５は、図３３、図３４に示す装置本体がケーブルに接続された様子を例示する斜視図である。
【図３６】図３６は、ケース内に収容された部品をケース前方側から見た図であり、ケース内に収容された撮像部やレンズ等の構成を例示する図である。
【図３７】図３７は、ケースから保持部材が離脱した状態を示す説明図である。
【図３８】図３８は、ケースに保持部材が取り付けられ、その保持部材にケーブルが保持された状態を示す説明図である。
【図３９】図３９は、使用者への取付部の取り付け方を説明する説明図である。
【図４０】図４０は、使用者に取付部が取り付けられた状態を、使用者の顔の前側から示す説明図である。
【図４１】図４１は、ケースに保持部材が取り付けられ、その保持部材にケーブルが保持された状態で装置本体を取付部に取り付けた様子を示す斜視図である。
【図４２】図４２は、取付部に取り付けられたケースの向きを微調整する様子を説明する説明図である。
【図４３】図４３は、第３実施形態に係る携帯型情報コード読取装置での制御の流れを説明する説明図である。
【図４４】図４４は、第３実施形態に係る携帯型情報コード読取装置を用いた読み取りの様子を例示する説明図である。
【図４５】図４５は、第３実施形態に係る携帯型情報コード読取装置に関する図２３、図４４とは異なる使用方法を例示する説明図である。
【図４６】図４６は、図４５のような使用方法がなされる場面を例示する説明図である。
【図４７】図４７は、装置本体と電気的に接続される外部装置等を概略的に示す斜視図である。
【図４８】図４８は、装置本体を外部機器に接続する様子を説明する説明図である。
【発明を実施するための形態】
【００５１】
[第１実施形態]
以下、本発明を具現化した第１実施形態について、図面を参照して説明する。
（全体構成）
図１に示すように、第１実施形態に係る携帯型情報コード読取装置１０（以下、単に情報コード読取装置１０又は読取装置１０とも称する）は、情報コードを撮像する撮像部２３と、撮像部２３によって撮像された情報コードの画像を処理する処理部（制御回路４０（図２））と、撮像部２３及び処理部を保持するケース１２と、ケース１２と一体的又はケース１２とは別体として設けられ、ケース１２を使用者のいずれか一方の耳に取り付ける取付部６０とを備えている。
【００５２】
まず、情報コード読取装置１０の電気的構成について説明する。図２に示すように、情報コード読取装置１０は、ハードウェア的には二次元コードを読取可能なコードリーダとして構成されており、ケース１２によって外郭が構成され、このケース１２内に各種電子部品が収容された構成をなしている。
【００５３】
図２のように、情報コード読取装置１０は、主に、照明光源２１、マーカ光照射部５０、撮像部２３、フィルタ２５、結像レンズ２７等の光学系と、メモリ３５、制御回路４０、操作スイッチ４２等のマイクロコンピュータ（以下「マイコン」という）系と、電源スイッチ４１、電池４９等の電源系と、から構成されている。なお、これらは、図略のプリント配線板に実装あるいはケース１２内に内装されている。
【００５４】
光学系は、照明光源２１、撮像部２３、フィルタ２５、結像レンズ２７、マーカ光照射部５０等から構成されている。照明光源２１は、照明光Ｌｆを発光可能な照明光源として機能するもので、例えば、所定色のＬＥＤとこのＬＥＤの出射側に設けられる拡散レンズ、集光レンズ等とから構成されている。本実施形態では、ケースに形成された照射口（照明光導出口１６）を介して読取対象物Ｒに向けて照明光Ｌｆを照射可能に構成されている。この読取対象物Ｒとしては、例えば、樹脂材料、金属材料、情報機器等の様々な対象が考えられ、このような読取対象物Ｒに例えば図２のような情報コード１００が印刷、ダイレクトマーキング、画像表示などによって形成されている。なお、読み取り対象となる情報コード１００の種類はバーコードなどの一次元コードであってもよく、ＱＲコード（登録商標）、データマトリックスコート、マキシコードなどの二次元コードであってもよい。また、マーカ光照射部５０は、公知のマーカ光源等によって構成されており、照明光源２１が光を照射する側と同じ側に、例えば指向性の高いマーカ光Ｍｋを照射するように構成されている。
【００５５】
撮像部２３は、情報コード１００を撮像可能な受光センサ（例えば、Ｃ−ＭＯＳやＣＣＤ等の受光素子を２次元に配列したエリアセンサ等）によって構成され、読取対象物Ｒや情報コード１００に照射されて反射した反射光Ｌｒを受光可能に構成されるものである。この撮像部２３は、結像レンズ２７を介して入射する入射光を受光面２３ａで受光可能に配置されている。
【００５６】
フィルタ２５は、例えば反射光Ｌｒの波長相当以下の光の通過を許容し、当該波長相当を超える光の通過を遮断し得る光学的なローパスフィルタで、ケース１２に形成された読取口１４と結像レンズ２７との間に設けられている。これにより、反射光Ｌｒの波長相当を超える不要な光が撮像部２３に入射することを抑制している。また、結像レンズ２７は、例えば、鏡筒とこの鏡筒内に収容される複数の集光レンズとによって構成されており、本構成では、ケース１２に形成された読取口１４に入射する反射光Ｌｒを集光し、撮像部２３の受光面２３ａに情報コード１００のコード画像を結像するように構成されている。
【００５７】
マイコン系は、増幅回路３１、Ａ／Ｄ変換回路３３、メモリ３５、アドレス発生回路３６、同期信号発生回路３８、制御回路４０、操作スイッチ４２、マイク４３、発音部４４、センサ部４６、通信部４８等から構成されている。このマイコン系は、マイコン（情報処理装置）として機能し得る制御回路４０及びメモリ３５を中心として構成され、前述した光学系によって撮像された情報コード１００の画像信号をハードウェア的およびソフトウェア的に信号処理し得るものである。
【００５８】
光学系の撮像部２３から出力される画像信号（アナログ信号）は、増幅回路３１に入力されることで所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、撮像部２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００５９】
メモリ３５は、半導体メモリ装置などによって構成され、例えばＲＡＭ（ＤＲＡＭ、ＳＲＡＭ等）やＲＯＭ（ＥＰＲＯＭ、ＥＥＰＲＯＭ等）等がこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２１、撮像部２３等の各ハードウェアを制御可能なシステムプログラム等が予め格納されている。
【００６０】
制御回路４０は、情報コード読取装置１０全体を制御可能なマイコンで、ＣＰＵ、システムバス、入出力インタフェース等からなるものであり、情報処理機能を有している。この制御回路４０には、内蔵された入出力インタフェースを介して種々の入出力装置（周辺装置）が接続されており、本構成の場合、電源スイッチ４１、操作スイッチ４２、マイク４３、発音部４４、センサ部４６、通信部４８等が接続されている。また、通信部４８は、有線通信又は無線通信を行う公知の通信インタフェースとして構成されており、ケース１２の外側に設けられた外部装置と通信を行い、外部装置への情報送信又は外部装置からの情報受信を行うように機能している。なお、図２の例では、「外部装置」として、情報コード読取装置１０の上位システムに相当するコンピュータＨＳＴ（据置型のパーソナルコンピュータや携帯型のパーソナルコンピュータ等）などの情報処理装置と、例えば無線通信方式にて通信可能に接続されている。なお、外部装置の例はこれに限られず、例えば、読取装置１０とケーブル８０によって接続された携帯型の情報処理装置と通信可能に接続されていてもよい。
【００６１】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。なお、電池４９は、所定の直流電圧を発生可能な２次電池で、例えば、リチウムイオン電池等がこれに相当する。なお、電池４９は、ケース１２内に設けられていてもよく、ケース１２とケーブル８０で接続された携帯型の別機器内に設けられていてもよい。
【００６２】
（装着構造等）
次に、携帯型情報コード読取装置１０の主要な特徴である装着構造等について説明する。
携帯型情報コード読取装置１０は、情報コード１００を撮像可能な撮像部２３と、撮像部２３によって情報コード１００が撮像された場合にこの情報コード１００を解読する処理部（制御回路４０（図２））と、撮像部２３及び処理部を保持するケース１２と、ケース１２と一体的又はケース１２とは別体として設けられ、ケース１２を使用者のいずれか一方の耳に取り付ける取付部６０とを備えている。そして、ケース１２は、情報コードからの光を導入可能な読取口１４を備えており、取付部６０は、図３のようにケース１２が使用者の顔Ｆａの横位置（耳の横位置、或いは頬骨の横位置など）に配置され且つ読取口１４が使用者Ｐの前側を向く構成で当該ケース１２を使用者Ｐの耳Ｅｙに取り付ける構成となっている。
【００６３】
図３から図８に示すように、ケース１２は、取付部６０の位置から所定方向（具体的には当該ケース１２の長手方向）に延びる延出部１２ｃを備え、且つ延出部１２ｃにおける取付部６０とは反対側の端部寄りの位置（具体的にはケース１２の前端部に設けられる前壁部１３ｃ）に読取口１４が設けられている。そして、取付部６０は、延出部１２ｃが使用者の耳から少なくとも前側（使用者の顔Ｆａが向く側）に延びる構成でケース１２を使用者の耳Ｅｙに取り付ける構成となっている。
【００６４】
なお、本実施形態では、取付部６０と読取口１４とが並ぶ方向を読取装置１０の前後方向としており、取付部６０を基準として読取口１４側を前側、それとは反対側を後ろ側としている。また、この前後方向と直交する方向であって且つ耳挿入部６１が突出する向きを読取装置１０の左右方向としている。更にこれら前後方向及び左右方向と直交する方向を読取装置１０の上下方向としている。また、本明細書では、使用者の顔Ｆａを基準として顔Ｆａが向く方向を顔Ｆａの前側、後頭部側を顔Ｆａの後ろ側として説明する。
【００６５】
図４〜図８に示すように、ケース１２は、このような定義において前端部に前壁部１３ｃが設けられ、後端部に後壁部１３ｄが設けられている。更に、左右方向一方側（取付部６０側）に側壁部１３ｂが設けられ、これとは反対側に側壁部１３ａが設けられている。更に、上端部には上壁部１３ｅが設けられ、下端部には下壁部１３ｆが設けられている。そして、これら前壁部、後壁部、側壁部、上壁部、下壁部により、前後左右及び上下が囲まれる箱状構成で、撮像部や制御回路などの電子部品を収容する収容部が構成されている。
【００６６】
取付部６０は、具体的には、使用者の耳Ｅｙの穴に挿入される耳挿入部６１と、使用者の耳に掛けられる耳掛け部６２とを有している。本構成では、ケース１２の本体部が長手状且つ箱状に構成され、この本体部の長手方向一端側において側壁部１３ｂから突出する構成で耳挿入部６１が形成されている。そして、この耳挿入部６１の基端部付近（突出の根元付近）から円弧状に延びる構成で耳掛け部６２が設けられている。なお、図１、図４〜図８では耳掛け部６２の延出先を省略して示している。この耳掛け部６２は、実際は、図３、図９のように円弧状に湾曲し、撓み変形しうる構成となっており、図３のように耳挿入部６１が耳Ｅｙの穴に挿入されたときに、耳のＥｙにおける頭部側に面する部分に掛けられる構造となっている。
【００６７】
また、図９（Ａ）（Ｂ）で概略的に示すように、耳掛け部６２は、ケース１２の一部又はケース１２に連結された連結部に対して着脱可能とされている。そして、ケース１２の一部又はケース１２に連結された連結部には、使用者の左耳に耳掛け部６２を取り付ける場合に耳掛け部６２が固定されるべき第１固定部７２と、使用者の右耳に耳掛け部６２を取り付ける場合に耳掛け部６２が固定されるべき第２固定部７１とが形成されている。第１固定部７２は、例えば、突出形状の耳挿入部６１の基端側において上方側（上壁部１３ｅ側）に開口する第１孔部として構成されており、例えば、湾曲状の部材として構成される耳掛け部６２の一端部をこの第１孔部に挿入し、嵌合して固定することで、図９（Ｂ）のように左耳用の配置構成とすることが可能となっている。また、第２固定部７１は、例えば、突出形状の耳挿入部６１の基端側において下方側（下壁部側）に開口する第２孔部として構成されており、例えば、湾曲状の部材として構成される耳掛け部６２の一端部をこの第２孔部に挿入し、嵌合して固定することで、図９（Ａ）のように、右耳用の配置構成とすることができるようになっている。なお、耳挿入部６１がケース１２の一部として構成される場合、このようなケースの一部に耳掛け部６２が着脱されることになる。また、挿入部６１がケース１２に連結される連結部（例えば、ケース１２に着脱可能に連結される連結部）として構成される場合、このような連結部に耳掛け部６２が着脱されることになる。
【００６８】
また、ケース１２には、情報コードからの光を導入可能な読取口１４を備えており、取付部６０は、ケース１２が使用者の左耳側に取り付けられる場合でも、ケース１２が使用者の右耳側に取り付けられる場合でも、読取口１４が使用者の前側を向く構成でケース１２を使用者の耳に取り付け可能とされている。具体的には、取付部６０は、図９（Ｂ）のような配置によって取付部６０が使用者の左耳に取り付けられた場合でも、図９（Ａ）のような配置によって使用者の右耳に取り付けられた場合でも、読取口１４が使用者の前側を向く構成でケース１２を使用者の耳に取り付け可能とされている（図７（Ａ）、（Ｂ）も参照）。
【００６９】
また、上述したように、本構成では、照明光を照射する照明光源２１及びマーカ光を照射するマーカ光照射部５０が設けられており、照明光源２１からの照明光及びマーカ光照射部５０からのマーカ光はいずれも、前壁部１３ｃから当該読取装置１０における前側に照射されるようになっている。具体的には、照明光源２１からの照明光は照明光導出口１６を介して前側に照射されるようになっており、マーカ光照射部５０からのマーカ光は、マーカ光導出口１７を介して前側に照射されるようになっている。そして、取付部６０は、ケース１２が使用者の左耳側に取り付けられる場合でも、ケース１２が使用者の右耳側に取り付けられる場合でも、照明光源２１からの照射光及びマーカ光照射部５０からのマーカ光が使用者の前側に照射される構成でケース１２を使用者の耳に取り付け可能とされている。具体的には、取付部６０は、図９（Ｂ）のような配置によって取付部６０が使用者の左耳に取り付けられた場合でも、図９（Ａ）のような配置によって取付部６０が使用者の右耳に取り付けられた場合でも、前壁部１３ｃが顔Ｆａの前側に面し且つ照明光源２１からの照射光及びマーカ光照射部５０からのマーカ光が使用者の前側に照射される構成でケース１２を使用者の耳に取り付け可能とされている。更に詳しくは、図７（Ａ）のように、読取口１４の左右に照明光導出口１６及びマーカ光導出口１７がそれぞれ配置されており、図７（Ｂ）のような配置によって取付部６０が使用者の左耳に取り付けられた場合でも、図７（Ａ）のような配置によって取付部６０が使用者の右耳に取り付けられた場合でも、読取口１４の左右方向外側に照明光導出口１６が配され、読取口１４の左右方向内側にマーカ光導出口１７が配された位置関係となっている。より具体的には、図７のように正面視したときに、読取口１４の中心Ｇ１を通る上下方向の中心線Ｇ３を中心としてマーカ光導出口１７と照明光導出口１６とが略線対称となっており、中心Ｇ１を通り中心線Ｇ３と直交する線Ｇ２上にマーカ光導出口１７と照明光導出口１６と読取口１４とが並ぶ位置関係となっている。
【００７０】
また、図４から図８に示すように、読取装置１０は、ケース１２に保持されると共にケース１２の外部に設けられた外部装置に電気的に接続されるケーブル８０を備えており、このケーブル８０は、ケース１２の長手方向一方側寄りにおいて短手方向一方側（具体的にはケース１２の長手方向一方寄りに設けられた取付部６０の下方側）からケース１２外に引き出されている。
【００７１】
また、ケース１２において取付部６０が設けられた壁部（側壁部１３ｂ）とは反対側の壁部（側壁部１３ａ）には、取付部６０の裏側の位置に、外部操作（例えば、取付部６０側への押圧操作）が可能な操作スイッチ４２が設けられている。この構成では、回転中心部となる取付部６０の裏側で操作スイッチ４２が操作されるため、操作スイッチ４２に対して押圧操作等がなされたとしても、その操作力によって取付部６０付近と中心とするモーメントが生じにくいため、ケース１２が回転しにくくなる。従って、使用者の顔に対する読取装置全体の相対的な向きが安定的に維持されやすくなる。
【００７２】
（使用方法等）
次に、読取装置１０と、この読取装置１０と通信可能な外部装置（ここでは、例えば、読取装置１０と無線通信可能に接続されたパーソナルコンピュータやスマートフォンなどのホスト装置ＨＳＴ（図１１）を例示）との間で行われる連携処理について説明する。本実施形態に係る読取装置１０では、具体的には例えば使用者が操作スイッチ４２を押したときに照明光源２１からの照明光の照射及びマーカ光照射部５０からのマーカ光の照射が開始され、且つ撮像部２３による撮像が開始される。なお、照明光源２１からの照明光は、例えば撮像部２３の撮像範囲を照らすように照射される。また、マーカ光照射部５０からのマーカ光は、撮像部２３の撮像範囲内を通るように（例えば撮像範囲から外れないように）照射される。そして、例えば図１１のように読取装置１０の前側（即ち、使用者の顔の前側）に情報コード１００が表された読取対象物Ｒが配置されたときには、読取装置１０内の撮像部２３によってこの読取対象物Ｒに付された情報コード１００が撮像され、その撮像画像（コード画像）が公知のデコード方式で読み取られることになる。なお、読取装置１０からの撮像エリアは、例えば、使用者の手が届く範囲（特に、使用者が物を手に持って配置しやすい範囲）であることが望ましく、例えば、１０ｃｍ〜１５０ｃｍｍ（より望ましくは２０ｃｍ〜１００ｃｍｍ）程度とするとよい。
【００７３】
そして、読み取りが成功した場合には、発音部４４から所定の報知音を発する。発音部４４は、スピーカやイヤホンなどの発音装置によって構成されており、読み取りが成功した場合、予め読取成功用に用意された所定の第１音声を発する。なお、読み取りが失敗した場合には、この所定の報知音とは異なるエラー音（予め読取失敗用に用意された所定の第２音声）を発するようにしてもよい。この場合、第１音声は「ピッ」などの単純音であってよく、メロディーなどであってもよい。或いは、「読み取りが成功しました」などの音声であってもよい。また、第２音声は、「ピー」などの単純音であってよく、メロディーなどであってもよい。或いは、「読み取りが失敗しました」などの音声であってもよい。本構成では、発音部４４が「報知部」の一例に相当し、少なくとも処理部での処理結果（具体的には、情報コードの解読が成功したか否かの結果等）を報知するように機能する。
【００７４】
また、本構成では、耳挿入部６１において発音部４４からの音を導出する導出部（導出孔６１ａ）が設けられて、この導出部を介して発音部４４から発せられた音が使用者の耳内に伝わるようになっている。なお、発音部４４からの音を導く経路（空間や音伝導媒体等）が導出部まで構成されていれば、発音部４４自体は耳挿入部６１の中にあってよく、耳挿入部６１の外（例えばケース１２内において、壁部１３ａと壁部１３ｂの間など）にあってもよい。
【００７５】
図１０、図１１では、本構成に係る読取装置１０によって伝票を読み取り、ピッキング作業を行う場合の一例を示している。この図１０、図１１の例では、読取装置１０により、伝票に付された情報コードを解読した場合には、まず、その解読データ（図１０では、ＱＲコードデータ（ＱＲコードは登録商標）と図示）を外部装置に出力する。そして、外部装置（ホスト）では、その解読データの内容を解析し、読取装置１０に対して案内情報を送信する。例えば、外部装置では、複数の解読データが想定されており、各解読データ毎に、案内情報（音声情報を含むデータ）が用意されている。そして、読取装置１０から解読データを取得した場合には、その取得した解読データに対応付けられた案内情報をその読取装置１０に送信するようになっている。なお、図１０の例では、外部装置（ホスト装置）から、案内情報として、伝票のコードに対応する製品の位置情報と、読み取るべき個数と、品番情報についてのデータ、及び音声情報を読取装置１０に伝達している。読取装置１０は、このような案内情報を取得した場合、その案内情報に含まれる音声情報を音声に変換して発音部４４から発する。この場合、使用者はその音声情報を基に指定された位置に移動して対象製品を読み取ることができ、その後に読取装置１０によって更に製品の情報コードが読み取られたときには、その読取毎に解読データを外部装置に出力して外部装置側で照合を図っている。なお、本構成では、制御回路４０及び発音部４４が「音声案内部」の一例に相当し、処理部が情報コードを解読して得られた解読情報に基づき、当該解読情報の解読後に対応すべき情報を音声案内するように機能する。
【００７６】
なお、この例では、制御回路４０及び発音部４４からなる音声案内部は、外部装置から取得したデータ（即ち、情報コードを解読し、その解読データを外部装置に送信した場合に、その解読データに応じて外部装置から送られてきたデータ）を音声によって報知しているが、処理部が情報コードを解読して得られた解読情報に基づく音声案内であれば、音声案内の方法はこの方法に限られない。例えば、予めデコード失敗時の音声データを読取装置内に用意しておき、デコードが失敗した場合に、その音声データ（例えば、「デコードが失敗しました。再度読み取りを行ってください」といった具合に再読取を促すメッセージ）を音声によって報知する音声案内であってもよい。或いは、予めデコード成功時の音声データを読取装置内に用意しておき、デコードが成功した場合に、その音声データ（例えば、「デコードが成功しました。次の読み取りを行ってください」といった具合に、次の読み取りを促すメッセージ）を音声によって報知する音声案内であってもよい。
【００７７】
（第１実施形態の主な効果）
特許文献１の構成や、特許文献２の図１のように使用者の頭にバンドなどを嵌めて読取装置を固定する構成では、使用者の頭に何らかの装着具を着用する場合に適用しにくいという問題がある。例えば、ヘルメットや帽子などを装着した上で読取作業を行う場合、これら特許文献で開示される頭部装着型の読取装置では、適用が難しかったり、装着に手間取ることが懸念される。また、特許文献１のように、眼を覆うスクリーンの上に読取装置を取り付ける構成では、眼鏡を付けて作業をする場合に適用しにくいという問題もある。また、特許文献２の図７等には、使用者の頭以外の部分に取り付ける構成も開示されている。例えば、図７のように、腕や胴体などに読取装置を固定すれば、ヘルメットや眼鏡などを併用する場合でも、読取装置を支障なく固定可能となる。しかしながら、このような固定構造では、読取装置の読取方向を使用者の顔の動きに連動させることができず、使用者が見ている方向と読取装置の読取る方向がずれやすくなる。例えば、腕や胴体を読取りたい物品に近づける等、読取りたい物品を意識することになり、結局、従来の携帯端末と使用と変わらない作業性となる。
これに対し、本構成によれば、撮像部２３及び処理部を保持するケース１２を取付部６０によって使用者の耳に取り付けることが可能となる。従って、手以外の部分に読取装置を取り付けながら読取作業を行うことができ、使用者が両手を読取作業以外の他の用途に使いやすくなる。また、読取装置が耳に取り付けられるため、顔の動きと読取装置全体が連動することになり、使用者の顔の動きに合わせて読み取る方向を定めることができる。更に、取り付ける位置が一方の耳であるため、他の装着具（ヘルメットや眼鏡等）が使用されるケース１２でも容易に装着しやすくなる。
【００７８】
また、耳に取り付けるタイプであるため、手持ち方式と比べてブレ（手ブレ等）が生じにくくなる。また、撮像時のブレが少ないため、シャッタスピードを比較的遅くすることができ、十分な受光量を確保しやすくなる。従って、照明光の光量低下を図りやすくなる。また、ブレが少ないため、複雑な補正機構が省略でき、装置構成の簡素化、コンパクト化、低廉化を図りやすくなる。
【００７９】
また、ケース１２は、情報コードからの光を導入可能な読取口１４を備えており、取付部６０は、ケース１２が使用者の顔の横位置に配置され且つ読取口１４が使用者の前側を向く構成で当該ケース１２を使用者の耳に取り付ける構成となっている。この構成によれば、使用者の顔の向きと読み取りの方向が良好に連動しやすくなり、使用者の顔が向く側に配置された情報コードを違和感なくスムーズに読み取りやすくなる。また、ケース１２が顔の横位置に配置されるため、使用者の視界にケースが入りすぎず、ケースが視界の邪魔になりすぎない。
【００８０】
更に、ケース１２は、取付部６０の位置から所定方向に延びる延出部１２ｃを備え、且つ延出部１２ｃにおける取付部６０とは反対側の端部寄りに読取口１４が設けられており、取付部６０は、延出部１２ｃが使用者の耳から少なくとも前側に延びる構成でケース１２を使用者の耳に取り付ける構成となっている。このようにケース１２を耳よりもやや前に延出させ、その端部側の読取口１４を介して情報コードを読み取るようにすると、使用者の顔を極力撮像エリアから除いて顔の前の空間をより広く撮像しやすくなる。
【００８１】
また、取付部６０は、使用者の耳の穴に挿入される耳挿入部６１を有している。この構成によれば、耳の穴を利用してケース１２を保持することができる。更に、取付部６０の位置と耳の穴の位置を正確に位置合わせすることができるため、耳の穴を基準としてケース１２の位置を正確に定めやすくなる。
【００８２】
また、取付部６０は、使用者の耳に掛けられる耳掛け部６２を有している。この構成によれば、ケース１２を使用者の耳により安定的に保持しやすくなる。
【００８３】
また、耳掛け部６２は、ケース１２の一部又はケース１２に連結された連結部に対して着脱可能とされており、ケース１２の一部又はケース１２に連結された連結部には、使用者の左耳に耳掛け部６２を取り付ける場合に耳掛け部６２が固定されるべき第１固定部７２と、使用者の右耳に耳掛け部６２を取り付ける場合に耳掛け部６２が固定されるべき第２固定部７１とが形成されている。この構成によれば、使用者の右の耳にも左の耳にも読取装置を取り付けることができ、各耳に取り付けるときには、耳掛け部６２をその耳に合わせた位置に固定することができる。
【００８４】
また、ケース１２は、情報コードからの光を導入可能な読取口１４を備えており、取付部６０は、当該取付部６０が使用者の左耳に取り付けられた場合でも使用者の右耳に取り付けられた場合でも、読取口１４が使用者の前側を向く構成でケース１２を使用者の耳に取り付け可能とされている。この構成によれば、使用者の右の耳に取り付けた場合でも、左の耳に取り付けた場合でも、使用者の顔の向きと読み取りの方向を良好に連動させることができる。
【００８５】
また、照明光を照射する照明光源２１及びマーカ光を照射するマーカ光照射部５０を有し、取付部６０は、当該取付部６０が使用者の左耳に取り付けられた場合でも使用者の右耳に取り付けられた場合でも、照明光源２１からの照射光及びマーカ光照射部５０からのマーカ光が使用者の前側に照射される構成でケース１２を使用者の耳に取り付け可能とされている。この構成によれば、使用者の右の耳に取り付けた場合でも、左の耳に取り付けた場合でも、読取側である使用者の前側に照明光及びマーカ光を照射可能となる。なお、この第１実施形態以外のいずれの実施形態の構成も、この構成を適用可能なものであれば適用することができる。
【００８６】
また、本構成では、照明光を照射する照明光源２１及びマーカ光を照射するマーカ光照射部５０と、照射制御部（制御回路４０）とを有している。この構成では、所定状態（操作スイッチ４２に対して所定開始操作がなされた状態）が生じるまでは照明光源２１及びマーカ光照射部５０を動作させずに一層の省電力化を図ることができ、所定状態が生じるように対応することで、照明光源２１及びマーカ光照射部５０の少なくともいずれかを動作させ、読み取りを行いやすくすることができる。このような照明光源及びマーカ光照射部の制御方法は、この第１実施形態以外のいずれの実施形態のいずれの構成に適用してもよい。
【００８７】
上記代表例では、操作スイッチ４２（具体的には押圧センサ部）に対して所定操作がなされた場合に撮像部２３によって撮像が開始され、且つその撮像中に情報コードが撮像された場合にこの情報コードを解読する例を示したが、操作スイッチ４２の操作を「その他のセンサ部４６での所定状態の検出」に代えてもよい。本構成では、ケース１２の内部又は外部には、センサ部４６が設けられており、このセンサ部４６は、後述する様々なセンサを用いることができる。例えば、センサ部４６が公知の近接センサとして構成され、所定位置（例えば、壁部１３ａなどの外壁部やその付近など）に配置されている場合、この近接センサによって物体の近接（例えば使用者の手の近接）が検出された場合（所定の検出結果が得られた場合）に、照明光源２１による照明光の照射及びマーカ光照射部５０によるマーカ光の照射を開始し且つ撮像部２３による撮像を開始し、その撮像中に情報コードが撮像された場合にこの情報コードを解読するようにしてもよい。この構成では、センサ部４６で所定の検出結果が検出されるまでは、処理部による解読処理を停止させて省電力化を図ることができ、センサ部４６で所定の検出結果が生じるように対応をとることで（例えば、近接センサに物体を近づける対応をとることで）、解読開始状態に復帰させることができる。このようなセンサ部を用いた制御方法は、この第１実施形態以外のいずれの実施形態のいずれの構成に適用してもよい。
また、この場合、制御回路４０が照射制御部に相当し、所定状態（センサ部４６で所定の検出結果が得られた状態）が生じたことを条件として、照明光源２１及びマーカ光照射部５０の少なくともいずれかを動作させ、照明光及びマーカ光の少なくともいずれかの照射を開始するように機能する。なお、このような制御方法は、この第１実施形態以外のいずれの実施形態のいずれの構成に適用してもよい。
【００８８】
また、センサ部４６は、取付部６０が使用者の耳に取り付けられた所定状態を検知可能とされていてもよい。例えば、センサ部４６として取付部６０に近接センサや接触センサを設け、このセンサ部４６に対する耳の近接や接触が検出された場合にセンサ部４６から検出信号が発生するようにしてもよい。この場合、処理部に相当する制御回路４０は、センサ部４６により上記所定状態（耳の近接や接触）が検知されたことを条件として、照明光源２１及びマーカ光照射部５０の動作を開始させると共に撮像部２３による撮像を開始させ、その撮像中に情報コードが撮像された場合にこの情報コードの解読を行う構成となる。この構成では、取付部６０が使用者の耳に取り付けられるまでは、処理部による解読処理を停止させて省電力化を図ることができ、取付部６０が耳に取り付けられた場合には解読開始状態に復帰させることができる。このようなセンサ部を用いた制御方法は、この第１実施形態以外のいずれの実施形態のいずれの構成に適用してもよい。
【００８９】
また、本実施形態では、ケース１２の外側に設けられた外部装置と通信を行う通信部４８を備え、通信部４８により外部装置への情報送信又は外部装置からの情報受信が可能とされている。この構成によれば、外部装置との間で情報のやり取りを行うことができるため、読取装置１０内に全ての処理機能を持たせずに一部を外部装置で分担することができる。従って、読取装置１０の簡素化を図りやすくなり、小型化、軽量化の面で有利となる。このような通信部は、この第１実施形態以外のいずれの実施形態のいずれの構成に適用してもよい。
【００９０】
また、ケース１２内又はケース１２に取り付けられる部分には、少なくとも処理部での読取結果を報知する報知部が設けられている。この構成によれば、処理部の読取結果を使用者に良好に伝達することができる。特に、耳の近くで報知がなされるため、報知されたことが使用者により確実に伝達されやすくなる。このような報知部は、この第１実施形態以外のいずれの実施形態のいずれの構成に適用してもよい。
【００９１】
また、取付部６０は、使用者の耳の穴に挿入される耳挿入部６１を有し、耳挿入部６１には、音声を発する発音部４４、又は音声を発する発音部４４からの音を導出する導出部が設けられている。この構成によれば、耳挿入部６１を取り付ける部材として機能させるだけでなく、イヤホンとしても機能させることができる。更に、この取付構造では、読取装置内で発生する音声を耳に挿入された部分から直接的に耳に伝達することができるため、小さな音声出力でもその内容を確実に使用者に伝えることができる。このような効果は、使用時に騒音が想定されるケース１２で一層顕著となる。このような耳挿入部は、この第１実施形態以外のいずれの実施形態のいずれの構成に適用してもよい。
【００９２】
また、処理部が情報コードを解読して得られた解読情報に基づき、当該解読情報の解読後に対応すべき情報を音声案内する音声案内部を有する。この構成によれば、情報コードの解読後に使用者が迅速且つ適切に対応しやすくなる。更に、読取装置は耳に取り付けられ、音声案内は耳に近い位置から発せられるため、使用者は音声案内を良好に聞き取りやすくなる。このような音声案内の方法は、この第１実施形態以外のいずれの実施形態のいずれの構成に適用してもよい。
【００９３】
また、ケース１２に保持されると共にケース１２の外部に設けられた外部装置に電気的に接続されるケーブル８０を備えており、ケース１２は、長手状に構成され、当該ケース１２の長手方向一方寄りに取付部６０が設けられ、ケース１２の長手方向一方側において当該ケース１２の短手方向一方側からケーブル８０がケース１２外に引き出されている。この構成によれば、ケース１２がある程度引っ張られてもケース１２に回転力が生じにくいため、使用者の顔に対する読取装置全体の相対的な向きが安定的に維持されやすくなる。このようなケーブル構造は、この第１実施形態以外のいずれの実施形態のいずれの構成に適用してもよい。
【００９４】
また、ケース１２において取付部６０が設けられた壁部とは反対側の壁部には、取付部６０の裏側の位置に、外部操作が可能な操作スイッチ４２が設けられている。この構成では、回転中心部となる取付部６０の裏側で操作スイッチ４２が操作されるため、操作スイッチ４２に対して押圧操作等がなされたとしても、その操作力によって取付部６０付近と中心とするモーメントが生じにくいため、ケース１２が回転しにくくなる。従って、使用者の顔に対する読取装置全体の相対的な向きが安定的に維持されやすくなる。このようなスイッチ構造は、この第１実施形態以外のいずれの実施形態のいずれの構成に適用してもよい。
【００９５】
[第２実施形態] 
次に、第２実施形態について説明する。
第２実施形態に係る読取装置１０は、第１実施形態の特徴を全て含み、更なる特徴が付加されている。よって、図１〜図１１で示した構成は、第１実施形態と同一であるとして詳細な説明は省略し、適宜、図１〜図１１を参照することとする。
【００９６】
まず、第２実施形態の代表例について説明する。
本構成では、第１実施形態の構成に加え、情報コードの読取時の具体的処理が特徴として付加されており、具体的には、図１７のような流れで読取処理が行われる。図１７の読取処理は、所定の開始条件の成立を条件として実行される処理であり、処理開始に伴い、受光センサ（撮像部）２３がケース外に設定された撮像範囲を継続的に撮像する（Ｓ２０１）。このＳ２０１では、図２に示す照明光源２１から撮像範囲に向けて照明光を照射しながら、照明光が照射されたエリアを撮像する（図１８の上図参照）。そして、撮像範囲に情報コードが入り込み、情報コードが撮像された場合には、その撮像された情報コードのコード画像を解析する（Ｓ２０２）。このＳ２０２では、情報コードのコード画像に対して公知のデコード処理を試み、デコード処理が成功した場合、情報コードに記録されたデータを取得する（Ｓ２０３）。そして、Ｓ２０３で取得されたデータ（情報コードに記録されたデータ）を、予めメモリ３５（図２）に記憶された期待値と照合し（Ｓ２０４）、データが期待値と一致するか否かを判断する（Ｓ２０５）。
【００９７】
メモリ３５には、１又は複数の期待値が予め登録されており、Ｓ２０３で得られた解読データが、メモリ３５に登録された期待値と一致する場合には、Ｓ２０５にてＯＫに進む。逆に、Ｓ２０３で得られた解読データが、メモリ３５に登録された期待値と一致しない場合には、Ｓ２０５にてＮＧに進む。例えば、期待値として、「1234567890001」、「1234567890002」、「1234567890003」の３つの品番リストがメモリ３５に記憶されており、Ｓ２０３で得られた情報コードの解読データが「1234567890001」である場合、解読データが期待値と一致するため、Ｓ２０５にてＯＫに進み、Ｓ２０６の処理を行う。一方、Ｓ２０３で得られた情報コードの解読データが「1234567890009」である場合、解読データが期待値と一致しないため、Ｓ２０５にてＮＧに進み、Ｓ２０７の処理を行う。
【００９８】
Ｓ２０５でＯＫに進む場合、Ｓ２０６では、Ｓ２０１から照射され続けていた照明光源２１の照明光を消灯させる（図１８の左下図参照）。このように照明光が消灯されたことが、照合結果の一致の合図となるため、使用者は、照明光の消灯によって照合結果の一致を把握することができる。一方、Ｓ２０５でＮＧに進む場合、Ｓ２０７では、Ｓ２０１から照射され続けていた照明光源２１の照明光を点滅させる（図１８の右下図参照）。このように照明光が点滅されたことが、照合結果の不一致の合図となるため、使用者は、照明光の点滅によって照合結果の不一致を把握することができる。
【００９９】
本構成では、照明光源２１が「光源」の一例に相当し、ケース１２と一体的に設けられ、ケース１２の外部に光を照射するように機能する。また、撮像部２３が「撮像部」の一例に相当し、「光源」によってケース１２の外部に向けて光が照射された状態でケース１２の外部を撮像する機能を有する。また、制御回路４０（図２）が「処理部」、「解読部」に相当し、撮像部２３によって撮像された情報コードに記録されたデータを解読する機能を有し、具体的には、「光源」によってケース１２の外部に光が照射された状態で撮像部２３によって撮像されたコードを解読するように機能する。また、制御回路４０が「判定部」の一例に相当し、「解読部」による情報コードの解読結果が、所定の成功状態である場合（上述の例では、Ｓ２０３で得られた解読データとメモリ３５に記憶された期待値とが一致する場合）と、所定の成功状態ではない所定の失敗状態である場合（上述の例では、Ｓ２０３で得られた解読データとメモリ３５に記憶された期待値とが一致しない場合）とを判定可能に構成されている。また、制御回路４０が「照射状態制御部」の一例に相当し、「解読部」によって情報コードの解読が試みられた後、「光源」からの光の照射状態を、「判定部」による判定結果に応じた状態に制御するように機能し、具体的には、「判定部」によって所定の成功状態であると判定された場合の「光源」からの光の点灯時間又は消灯時間のいずれかの時間の間隔を、「判定部」によって所定の失敗状態と判定された場合の「光源」からの光の点灯時間又は消灯時間のいずれかの時間の間隔と異ならせる制御を行う構成となっている。
【０１００】
以上のような本構成でも、第１実施形態と同様の効果が得られる。
更に、本構成によれば、図１８のようにケース１２を使用者の身体に装着してケース１２を直接的に目視しにくい状態であっても、使用者は「光源」からの光の照射状態によって、情報コードの解読結果を把握することができるようになる。
【０１０１】
また、撮像部２３での撮像時に用いる光源を利用して情報コードの解読結果を報知することができるため、装置構成の簡素化を図りやすくなる。
【０１０２】
また、この構成によれば、「光源」からの光の点灯時間又は消灯時間を調整することによって情報コードの解読結果を報知することができるため、ハードウェア的な負担を抑え、より簡易な制御によって報知することが可能となる。
【０１０３】
[第２実施形態の変更例１] 
次に、第２実施形態の変更例１について説明する。
第２実施形態の変更例１に係る読取装置１０は、第１実施形態の特徴を全て含み、更なる特徴が付加されている。よって、図１〜図１１で示した構成は、第１実施形態と同一であるとして詳細な説明は省略し、適宜、図１〜図１１を参照することとする。
【０１０４】
変更例１でも、第１実施形態の構成に加え、情報コードの読取時の具体的処理が特徴として付加されており、具体的には、図１９のような流れで読取処理が行われる。図１９の読取処理は、所定の開始条件の成立を条件として実行される処理であり、処理開始に伴い、受光センサ（撮像部）２３がケース外に設定された撮像範囲を継続的に撮像する（Ｓ２１１）。このＳ２１１では、図２に示す照明光源２１（照明光照射部）から撮像範囲に向けて照明光を照射しながら、照明光が照射されたエリアを撮像する（図２０の上図参照）。そして、撮像範囲に情報コードが入り込み、情報コードが撮像された場合には、その撮像された情報コードのコード画像を解析する（Ｓ２１２）。このＳ２１２では、情報コードのコード画像に対して公知のデコード処理を試み、デコード処理が成功した場合、情報コードに記録されたデータを取得する（Ｓ２１３）。そして、Ｓ２１３で取得されたデータ（情報コードに記録されたデータ）を、予めメモリ３５（図２）に記憶された期待値と照合し（Ｓ２１４）、データが期待値と一致するか否かを判断する（Ｓ２１５）。
【０１０５】
本構成でも、メモリ３５には、１又は複数の期待値が予め登録されており、Ｓ２１３で得られた解読データが、メモリ３５に登録された期待値と一致する場合には、Ｓ２１５にてＯＫに進む。逆に、Ｓ２１３で得られた解読データが、メモリ３５に登録された期待値と一致しない場合には、Ｓ２１５にてＮＧに進む。例えば、期待値として、「1234567890001」、「1234567890002」、「1234567890003」の３つの品番リストがメモリ３５に記憶されており、Ｓ２１３で得られた情報コードの解読データが「1234567890001」である場合、解読データが期待値と一致するため、Ｓ２１５にてＯＫに進み、Ｓ２１６の処理を行う。一方、Ｓ２１３で得られた情報コードの解読データが「1234567890009」である場合、解読データが期待値と一致しないため、Ｓ２１５にてＮＧに進み、Ｓ２１７の処理を行う。
【０１０６】
Ｓ２１５でＯＫに進む場合、Ｓ２１６では、Ｓ２１１から照射され続けていた照明光源２１の照明光を消灯させ、青色ＬＥＤ２２１ａ（図２では図示略）によって青色（第１色）の光を照射する（図２０の左下図参照）。このように青色の光が照射されたことが、照合結果の一致の合図となるため、使用者は、青色の光によって照合結果の一致を把握することができる。一方、Ｓ２１５でＮＧに進む場合、Ｓ２１７では、Ｓ２１１から照射され続けていた照明光源２１の照明光を消灯させ、赤色ＬＥＤ２２１ｂ（図２では図示略）によって赤色（第２色）の光を照射する（図２０の右下図参照）。このように赤色の光が照射されたことが、照合結果の不一致の合図となるため、使用者は、赤色の光によって照合結果の不一致を把握することができる。なお、青色ＬＥＤ２２１ａ，赤色ＬＥＤ２２１ｂは、図２に示す照明光源２１の一部として構成されていてもよく、照明光源２１とは別で構成されていてもよい。照明光源２１とは別で構成される場合、情報コードの撮像の際には照明動作を行わなくてもよい。
【０１０７】
本構成では、上述の青色ＬＥＤ２２１ａ及び赤色ＬＥＤ２２１ｂが「光源」の一例に相当し、ケース１２と一体的に設けられ、ケース１２の外部に光を照射するように機能する。また、照明光源２１は、本構成では、「照明光照射部」の一例に相当し、上記「光源」とは別光源として構成され、ケースの外部に向けて光を照射するように機能する。また、撮像部２３が「撮像部」の一例に相当し、「照明光照射部」によってケース１２の外部に向けて光が照射された状態でケース１２の外部を撮像する機能を有する。また、制御回路４０（図２）が「処理部」、「解読部」に相当し、撮像部２３によって撮像された情報コードに記録されたデータを解読する機能を有し、具体的には、「照明光照射部」によってケース１２の外部に光が照射された状態で撮像部２３によって撮像されたコードを解読するように機能する。また、制御回路４０が「判定部」の一例に相当し、「解読部」による情報コードの解読結果が、所定の成功状態である場合（上述の例では、Ｓ２１３で得られた解読データとメモリ３５に記憶された期待値とが一致する場合）と、所定の成功状態ではない所定の失敗状態である場合（上述の例では、Ｓ２１３で得られた解読データとメモリ３５に記憶された期待値とが一致しない場合）とを判定するように機能する。また、制御回路４０が「照射状態制御部」の一例に相当し、「解読部」によって情報コードの解読が試みられた後、青色ＬＥＤ及び赤色ＬＥＤ（光源）からの光の照射状態を、「判定部」による判定結果に応じた状態に制御するように機能し、具体的には、「判定部」によって所定の成功状態であると判定された場合（上述の例では、Ｓ２１５でＯＫの場合）、青色ＬＥＤ及び赤色ＬＥＤ（光源）から青色（第１色）の光を照射する第１色照射状態とし、「判定部」によって所定の失敗状態と判定された場合（上述の例では、Ｓ２１５でＮＧの場合）、青色ＬＥＤ及び赤色ＬＥＤ（光源）から第１色とは異なる赤色（第２色）の光を照射する第２色照射状態とする構成となっている。
【０１０８】
以上のような本構成でも、第１実施形態と同様の効果が得られ、更に、本構成でも、使用者は「光源」からの光の照射状態によって、情報コードの解読結果を把握することができるようになる。更に、この構成では、撮像部での撮像時に照明光を照射する光源（照明光照射部）とは異なる光源を利用して情報コードの解読結果を報知することができるため、報知に適した光源をより自由に選定しやすくなる。
【０１０９】
また、この構成では、所定の成功状態のときの報知色と、所定の失敗状態のときの報知色とが異なるため、各状態をより確実に把握しやすくなる。
【０１１０】
[第２実施形態の変更例２]
次に、第２実施形態の変更例２について説明する。
第２実施形態の変更例２に係る読取装置１０は、第１実施形態の特徴を全て含み、更なる特徴が付加されている。よって、図１〜図１１で示した構成は、第１実施形態と同一であるとして詳細な説明は省略し、適宜、図１〜図１１を参照することとする。
【０１１１】
変更例２でも、第１実施形態の構成に加え、情報コードの読取時の具体的処理が特徴として付加されており、具体的には、図２１のような流れで読取処理が行われる。図２１の読取処理は、所定の開始条件の成立を条件として実行される処理であり、処理開始に伴い、受光センサ（撮像部）２３がケース外に設定された撮像範囲を継続的に撮像する（Ｓ２２１）。このＳ２２１では、図２に示す照明光源２１（照明光照射部）から撮像範囲に向けて照明光を照射しながら、照明光が照射されたエリアを撮像する（図２２（Ａ）の左図参照）。そして、撮像範囲に情報コードが入り込み、情報コードが撮像された場合には、その撮像された情報コードのコード画像を解析する（Ｓ２２２）。このＳ２２２では、情報コードのコード画像に対して公知のデコード処理を試み、デコード処理が成功した場合、情報コードに記録されたデータを取得する（Ｓ２２３）。そして、Ｓ２２３で取得されたデータ（情報コードに記録されたデータ）を、予めメモリ３５（図２）に記憶された期待値と照合し（Ｓ２２４）、データが期待値と一致するか否かを判断する（Ｓ２２５）。
【０１１２】
本構成でも、メモリ３５には、１又は複数の期待値が予め登録されており、Ｓ２２３で得られた解読データが、メモリ３５に登録された期待値と一致する場合には、Ｓ２２５にてＯＫに進む。逆に、Ｓ２２３で得られた解読データが、メモリ３５に登録された期待値と一致しない場合には、Ｓ２２５にてＮＧに進む。例えば、期待値として、「1234567890001」、「1234567890002」、「1234567890003」の３つの品番リストがメモリ３５に記憶されており、Ｓ２２３で得られた情報コードの解読データが「1234567890001」である場合、解読データが期待値と一致するため、Ｓ２２５にてＯＫに進み、Ｓ２２６の処理を行う。一方、Ｓ２２３で得られた情報コードの解読データが「1234567890009」である場合、解読データが期待値と一致しないため、Ｓ２２５にてＮＧに進み、Ｓ２２７の処理を行う。
【０１１３】
Ｓ２２５でＯＫに進む場合、Ｓ２２６では、Ｓ２２１から照射され続けていた照明光源２１の照明光を消灯させ、文字情報表示部として構成されるプロジェクタ２２１ｃ（図２では図示略）により、Ｓ２２６に対応する文字情報（所定の成功状態に対応する文字情報）をスクリーン表示する（図２２（Ａ）の右図）。文字情報表示部を構成するプロジェクタ２２１ｃは、文字情報をスクリーン表示できる装置であれば公知の様々な構成を用いることができる。Ｓ２２６で表示される文字情報は、例えば図２２（Ｂ）のような情報であり、この例では、Ｓ２２３で解読された解読データと、Ｓ２２４での照合が成功したことを示す情報（即ち、Ｓ２２３で解読された解読データが期待値と一致していることを示す情報）とを文字情報として表示している。このように、照合が成功したことを示す情報が表示されたことが、照合結果の一致の合図となるため、使用者は、この情報によって照合結果の一致を把握することができる。一方、Ｓ２１５でＮＧに進む場合、Ｓ２１７では、Ｓ２１１から照射され続けていた照明光源２１の照明光を消灯させ、文字情報表示部（図２では図示略）により、Ｓ２２７に対応する文字情報（所定の失敗状態に対応する文字情報）をスクリーン表示する（図２２（Ａ）の右図）。Ｓ２２７で表示される文字情報は、例えば図２２（Ｃ）のような情報であり、この例では、Ｓ２２３で解読された解読データと、Ｓ２２４での照合が失敗したことを示す情報（即ち、Ｓ２２３で解読された解読データが期待値と一致していないことを示す情報）とを文字情報として表示している。このように、照合が失敗したことを示す情報が表示されたことが、照合結果の不一致の合図となるため、使用者は、この情報によって照合結果の不一致を把握することができる。
【０１１４】
本構成では、上述の文字情報表示部が「光源」の一例に相当し、ケース１２と一体的に設けられ、ケース１２の外部に光を照射するように機能する。また、照明光源２１は、本構成では、「照明光照射部」の一例に相当し、上記「光源」とは別光源として構成され、ケースの外部に向けて光を照射するように機能する。また、撮像部２３が「撮像部」の一例に相当し、「照明光照射部」によってケース１２の外部に向けて光が照射された状態でケース１２の外部を撮像する機能を有する。また、制御回路４０（図２）が「処理部」、「解読部」に相当し、撮像部２３によって撮像された情報コードに記録されたデータを解読する機能を有し、具体的には、「照明光照射部」によってケース１２の外部に光が照射された状態で撮像部２３によって撮像されたコードを解読するように機能する。また、制御回路４０が「判定部」の一例に相当し、「解読部」による情報コードの解読結果が、所定の成功状態である場合（上述の例では、Ｓ２１３で得られた解読データとメモリ３５に記憶された期待値とが一致する場合）と、所定の成功状態ではない所定の失敗状態である場合（上述の例では、Ｓ２１３で得られた解読データとメモリ３５に記憶された期待値とが一致しない場合）とを判定するように機能する。また、制御回路４０が「照射状態制御部」の一例に相当し、「解読部」によって情報コードの解読が試みられた後、文字情報表示部（光源）からの光の照射状態を、「判定部」による判定結果に応じた状態に制御するように機能し、具体的には、「判定部」によって所定の成功状態又は所定の失敗状態のいずれか一方の状態と判定された場合、文字情報表示部（光源）からの光の照射状態を、文字情報表示部（光源）からの光が照射される照射対象物に対して所定の情報を表示する第１表示状態とし、いずれか他方の状態と判定された場合、文字情報表示部（光源）からの光の照射状態を、第１表示状態とは異なる照射状態とする構成となっている。
【０１１５】
以上のような本構成でも、第１実施形態と同様の効果が得られ、更に、本構成でも、使用者は「光源」からの光の照射状態によって、情報コードの解読結果を把握することができるようになる。更に、本構成では、少なくとも所定の成功状態又は所定の失敗状態のときに外部に情報を表示することができるため、使用者は、ケースを目視しにくい状況であっても、装置から提供される具体的な情報を把握しやすくなる。例えば、図２２（Ｂ）（Ｃ）のように、所定の成功状態のときには、所定の成功状態に対応する第１情報を表示し、所定の失敗状態のときには、所定の失敗状態に対応する第２情報を表示すれば、使用者は、各情報によって解読結果を明確且つ具体的に把握することができるため、利便性がより高まる。
【０１１６】
なお、変更例２では、所定の成功状態のときでも、所定の失敗状態のときでも文字情報を表示する例を示したが、所定の成功状態のときに、その成功状態に対応したその旨の文字情報を表示し、所定の失敗状態のときには、文字情報を表示せずに光の点灯や点滅などを行ってもよい。或いは、所定の失敗状態のときに、その失敗状態に対応したその旨の文字情報を表示し、所定の成功状態のときには、文字情報を表示せずに光の点灯や点滅などを行ってもよい。
【０１１７】
第２実施形態の代表例や各変更例では、ケース１２の内部に制御回路４０が設けられ、この制御回路４０で情報コードを解読する構成を例示したが、代表例及び各変更例のいずれの構成でも、ケース１２内の内部装置と通信可能に接続された情報処理装置（外部装置）にメモリ３５、制御回路４０、通信部４８と同様のメモリ、制御回路（ＣＰＵ等）、通信部を設けるようにしてもよい。そして、ケース１２内の撮像部２３で撮像された情報コードの画像のデータを、制御回路４０及び通信部４８（図２）によって外部装置に送信し、その外部装置の制御回路によって解読し、外部装置のメモリに記憶された期待値と照合するようにしてもよい。この場合、ケース１２内の制御回路４０及び通信部４８が処理部の一例に相当し、外部装置の制御回路が外部処理部、解読部、判定部の一例に相当する。この外部装置は、例えば、第３実施形態のようなケーブルを介してケース１２に接続される外部装置Ｄであってもよく、ケース１２側と無線通信で接続される外部装置であってもよい。いずれの場合も、外部装置は、制御回路（ＣＰＵ等）、メモリ、通信部等を備えた情報処理装置として構成しておき、メモリに期待値を登録しておけば、ケース１２側（即ち装置本体側）から情報コードの画像データが送信されてきたときに、この画像データをデコードして期待値と照合し、その照合結果（期待値と一致、期待値と不一致、デコード失敗等の結果）をケース１２側（即ち装置本体側）に送信することができる。この場合、照明状態制御部に相当する制御回路４０が、その照合結果に基づいてＳ２０６又はＳ２０７の処理を行うようにすればよい。
【０１１８】
第２実施形態の代表例や各変更例では、情報コードの解読データが予め登録された期待値と一致している場合を「所定の成功状態」とし、一致していない場合を「所定の失敗状態」としたが、この例に限られない。いずれの例でも、情報コードのデコードが成功したことを「所定の成功状態」とし、情報コードのデコードが失敗したことを「所定の失敗状態」としてもよい。或いは、いずれの例でも、情報コードに暗号データが記録されているような場合、情報コードに記録された暗号データの暗号の解読が成功したことを「所定の成功状態」とし、情報コードに記録された暗号データの暗号の解読が失敗したことを「所定の失敗状態」としてもよい。
【０１１９】
また、第２実施形態の代表例や各変更例では、光源からの光の照射状態を判定部による判定結果に応じた状態に制御する方法として、「所定の成功状態」のときの照射状態と、「所定の失敗状態」のときの照射状態とに切り替えるように、２つの照射状態を発生させる方法を例示したが、判定結果に応じて３以上の異なる照射状態を発生させてもよい。例えば、第２実施形態の代表例や各変更例で説明した「所定の失敗状態」を、更に複数の結果に分け、各結果に応じて照射状態を異ならせてもよい。例えば、第２実施形態の代表例や各変更例で説明した「所定の失敗状態」を、デコードの失敗と、期待値との不一致に分け、いずれの場合でも、デコードの失敗の場合には、短い時間間隔で点滅させ、期待値との不一致には長い時間間隔で点滅或いは点灯し続けるようにしてもよい。
【０１２０】
[第３実施形態] 
次に、第３実施形態について説明する。
第３実施形態に係る携帯型情報コード読取装置１０は、形態のみが第１実施形態と異なり、電気的構成は第１実施形態と同一である。よって、電気的構成については、詳細な説明を省略し、適宜図２を参照することとする。
【０１２１】
（全体構成）
本構成の携帯型情報コード読取装置１０は、主に、装置本体３１１と取付部３６０とによって構成されている。装置本体３１１は、情報コード１００を撮像可能な撮像部２３（図２等）と、撮像部２３によって撮像された情報コード１００の画像を処理する処理部（制御回路４０（図２））と、撮像部２３及び処理部を保持するケース３１２とを備えた構成となっている。また、ケース３１２とは別体として設けられると共に使用者の顔が向く側を撮像する構成で撮像部２３を使用者に取り付ける取付部３６０を備えている。この取付部３６０は、撓み変形可能な可撓性の身体装着部（装着部）３６２と、ケース３１２が着脱される装着部３６６とを有し、使用者の人体に掛けられる構成となっており、ケース３１２を使用者の耳に取り付けるように機能するものである。
【０１２２】
まず、装置本体３１１の構成について説明する。
装置本体３１１は、ケース３１２の内部に図２に示す各種電子部品が収容されてなるものであり、本構成では、取付部３６０に対して図２３〜図２８のように装着可能とされており、図３０、図３１のように離脱可能とされている。
【０１２３】
図３３〜図３５等に示すように、ケース３１２は、全体として長手状且つ箱状に構成されている。なお、本構成では、装置本体３１１の前後方向、幅方向（横方向）、上下方向を以下のように規定する。まず、撮像部２３の視野範囲の中心の方向（光軸方向）を前後方向としており、ケース３１２の長手方向が前後方向となっている。そして、前後方向と直交する方向においてケース３１２の厚さ方向が幅方向（横方向）となっており、ケース３１２の対向壁部３１２ａと、対向壁部３１２ａの反対側の壁部（表側の側壁部３１２ｂ）とが向かい合う方向が幅方向（横方向）となっている。そして、上記前後方向及び幅方向と直交する方向が上下方向となっている。なお、以下では、前後方向をＸ軸方向とし、上下方向をＹ軸方向とし、幅方向（横方向）をＺ軸方向として説明する。そして、前方向をＸ軸正方向、後ろ方向をＸ軸負方向とする。更に、上方向をＹ軸正方向、下方向をＹ軸負方向とする。そして、ケース３１２側から見て取付部３６０側をＺ軸負方向とし、取付部３６０とは反対側をＺ軸正方向とする。
【０１２４】
図３１、図３３〜図３５のように、ケース３１２は、このような定義において前端部に前壁部３１２ｃが設けられ、後端部に後壁部３１２ｄが設けられている。更に、幅方向（左右方向）一方側（取付部３６０側）に側壁部（対向壁部３１２ａ）が設けられ、これとは反対側に表側の側壁部３１２ｂが設けられている。更に、上下方向の一端部には壁部３１２ｅが設けられ、上下方向の他端部には壁部３１２ｆが設けられている。そして、これら前壁部、後壁部、側壁部、壁部、壁部により、前後左右及び上下が囲まれる箱状構成で、撮像部２３や制御回路４０などの電子部品を収容する収容部が構成されている。
【０１２５】
また、本構成では、使用者の顔Ｆａを基準として顔Ｆａが向く方向を顔Ｆａの前側、後頭部側を顔Ｆａの後ろ側として説明する。
【０１２６】
このケース３１２は、情報コードからの光を導入可能な読取口３１４を備えており、この読取口３１４を覆う構成で光透過性のカバー部材３１５が設けられている。また、図２６、図２９等に示すように、ケース３１２は、取付部３６０への装着位置から所定方向に延びる延出部３１７（取付部３６０に当接する部分から前側に延びる部分）を備え、且つその延出部３１７における取付部３６０とは反対側の端部寄りに読取口３１４が設けられている。そして、この読取口３１４を覆うカバー部材３１５が前壁部３１２ｃとして構成されている。そして、取付部３６０は、図２３、図２９のようにケース３１２が使用者の顔Ｆａの横位置に配置され且つ読取口３１４が使用者Ｐの前側を向く構成で当該ケース３１２を使用者Ｐの耳Ｅｙに取り付ける構成となっている。このように、使用者の顔が向く側と同じ側に撮像部２３が向くように取付部３６０によってケース３１２が取り付けられている。
【０１２７】
また、ケース３１２において上下方向一方側の壁部３１２ｅには、外部操作（例えば、上下方向の押圧操作）が可能な操作スイッチ４２ａが設けられており、他方側の壁部３１２ｆには、外部操作（例えば、上下方向の押圧操作）が可能な操作スイッチ４２ｂが設けられている。これら操作スイッチ４２ａ、４２ｂは、図２の操作スイッチ４２を具体的に示すものである。操作スイッチ４２ａは、トリガスイッチとして機能し、操作スイッチ４２ｂは、トリガスイッチ以外の操作スイッチとして機能している。なお、メモリ３５には、操作スイッチ４２ａ，４２ｂのいずれをトリガスイッチとして機能させ、いずれを他のスイッチとして機能させるかを特定する設定する設定情報が記憶されており、操作スイッチ４２ａ，４２ｂは、この設定情報に従って動作するようになっている。また、この設定情報は、ケース３１２が図４８のようにコンピュータなどの外部機器ＰＣに接続された場合に、この外部機器ＰＣによって書き換えることができるようになっている。
【０１２８】
また、ケース３１２の内部には、図３６のように照明光を照射する照明光源２１、マーカ光を照射するマーカ光照射部５０、ケース３１２の外部を撮像する撮像部２３が設けられており、照明光源２１からの照明光及びマーカ光照射部５０からのマーカ光はいずれも、読取口３１４を介して前壁部３１２ｃからケース３１２の前側に照射されるようになっている。また、本構成では、撮像部２３及び結像レンズ２７が上下方向中心部よりもやや上寄りに配置され、受光光軸Ｇが上下方向中心部よりもやや上寄りに位置している。また、照明光源２１は、上下方向中心部よりも下寄りに配置されており、照明光源２１と撮像部２３の間にマーカ光照射部５０が配置されるようになっている。図３６のように、前壁部３１２ｃ寄りの位置には、結像レンズ２７、マーカ光照射部５０のレンズ５０ａ、照明光源２１のレンズ２１ａが配置されており、照明光源２１のレンズ２１ａよりもマーカ光照射部５０のレンズ５０ａのほうが、結像レンズ２７（受光レンズ）に近い位置関係となっている。これにより、マーカ光の経路を、より受光光軸Ｇに近づけることができるようになっている。
【０１２９】
次に、取付部３６０について説明する。
図２３〜図２９等に例示されるように、取付部３６０は、撓み変形可能な可撓性の身体装着部３６２と、ケース３１２が着脱される装着部３６６とを備えており、ケース３１２とは別体として設けられている。この取付部３６０は、使用者の人体に掛けられて人体に保持される部分であり、具体的には、使用者の首から上の部分において体の構造上突出した部分（以下の例では、両耳部分）に掛けられることで、人体に保持されると共に人体の所定位置に位置決めされるようになっている。図２３、図２９、図４３等に示すように、この取付部３６０は、ケース３１２が使用者の顔Ｆａの横位置に配置されると共に使用者の顔Ｆａが向く側に読取口３１４が向く構成でケース３１２を少なくとも使用者の耳Ｅｙに取り付ける構成となっている。
【０１３０】
身体装着部３６２は、少なくとも一部が使用者に直接接触して装着される部分であり、具体的には、使用者の両耳に掛けられる耳掛け部として構成されている。この身体装着部３６２は、図２４〜図２８のように、使用者に取り付けられていない被装着時の自然状態において所定形状で維持される構成であり、且つ弾性変形可能に構成され、可撓性の構造となっている。この身体装着部３６２は、後述する右側装着部３７０及び左側装着部３８０のそれぞれに両端部がそれぞれ連結された構成となっており、全体として略Ｕ字状の構成となっている。この身体装着部３６２には、使用者への装着時に上方側に凸となるように右側装着部３７０寄りの隣接位置に湾曲して形成された右耳取付部（右耳掛け部）３６２ａと、右耳取付部３６２ａから離れて形成されると共に上方側に凸となるように左側装着部３８０寄りの隣接位置に湾曲して形成された左耳取付部（左耳掛け部）３６２ｂと、これら右耳取付部３６２ａと左耳取付部３６２ｂとを連結する中間連結部３６２ｃとを備えている。中間連結部３６２ｃは、図２３等のように取付部３６０を使用者の耳に掛けて装着したときに、使用者の後頭部又は首に当てられるように巻き付く部分である。
【０１３１】
装着部３６６は、使用者の顔の右側に配置されると共にケースを着脱可能な右側装着部３７０と、使用者の顔の左側に配置されると共にケースを着脱可能な左側装着部３８０とを有している。本構成では、身体装着部３６２において、使用者の右耳に掛けられて右耳に支持される右耳取付部３６２ａ（右耳取付部３６２ａは、被支持部の一例に相当）から前側延出部３６３ａが前側（中間連結部３６２ｃとは反対側）に延びている。そして、右側装着部３７０は、身体装着部３６２における前側延出部３６３ａの先端部に連結されてケース３１２を保持する保持部として機能している。この構成では、図２３、図２９のように使用者に取付部３６０を取り付けた取付時に、前側延出部３６３ａが右耳取付部３６２ａ（被支持部）よりも前側に延びて配置され、右耳取付部３６２ａ（被支持部）を支持する使用者の右耳の耳孔よりも前位置に右側装着部３７０（保持部）が配置される構成となっている。
【０１３２】
右側装着部３７０（保持部）は、図２３、図２９のような人体への装着時に右耳の耳孔よりも前位置において使用者の顔に対向して支持される裏面部３７１と、裏面部３７１の反対側に配置された表面部３７２とを備えている。裏面部３７１と表面部３７２は、いずれも外面が平坦に構成されており、例えば、裏面部３７１の外面（使用者の顔に支持される面）と表面部３７２の外面（ケース３１２の取付時にケース３１２と接触する面）とが略平行になっている。裏面部３７１と表面部３７２の間の厚さは、右耳取付部３６２ａの太さよりも大きくなっており、図２６等に示すように、表面部３７２側が、右耳取付部（右耳掛け部）３６２ａよりも横に突出した構成となっている。そして、このように構成される右側装着部３７０により、ケース３１２を表面部３７２で保持する構成となっている。なお、保持構造については、後に詳述する。
【０１３３】
図２５等に示すように、右側と同様、身体装着部３６２において、使用者の左耳に掛けられて左耳に支持される左耳取付部３６２ｂ（左耳取付部３６２ｂは、被支持部の一例に相当）から前側延出部３６３ｂが前側（中間連結部３６２ｃとは反対側）に延びている。そして、左側装着部３８０は、身体装着部３６２における前側延出部３６３ｂの先端部に連結されてケース３１２を保持する保持部として機能している。この構成では、図２３、図２９、図４４、図４６のように使用者に取付部３６０を取り付けた取付時に、前側延出部３６３ｂが左耳取付部３６２ｂ（被支持部）よりも前側に延びて配置され、左耳取付部３６２ｂ（被支持部）を支持する使用者の左耳の耳孔よりも前位置に左側装着部３８０（保持部）が配置される構成となっている。
【０１３４】
左側装着部３８０（保持部）は、図２３、図２９、図４４、図４６のような人体への装着時に左耳の耳孔よりも前位置において使用者の顔に対向して支持される裏面部３８１と、裏面部３８１の反対側に配置された表面部３８２とを備えている。裏面部３８１と表面部３８２は、いずれも外面が平坦に構成されており、例えば、裏面部３８１の外面（使用者の顔に支持される面）と表面部３８２の外面（ケース３１２の取付時にケース３１２と接触する面）とが略平行になっている。裏面部３８１と表面部３８２の間の厚さは、左耳取付部３６２ｂの太さよりも大きくなっており、図２４等に示すように、表面部３８２側が、左耳取付部（左耳掛け部）３６２ａよりも横に突出した構成となっている。そして、このように構成される左側装着部３８０により、ケース３１２を表面部３８２で保持する構成となっている。なお、保持構造については、後に詳述する。
【０１３５】
図３１、図３２、図３４のように、ガイド部３５０は、取付部３６０に設けられた各装着部３６６に対してケース３１２を着脱可能に連結し、且つその連結の際に各装着部３６６に対するケース３１２の姿勢が所定姿勢となるようにガイドするように機能する。このガイド部３５０は、ケース３１２側に設けられた２つのケース側連結部（第１ケース側連結部３５１及び第２ケース側連結部３５２）と、右側装着部側（右側装着部３７０側）に設けられた少なくとも２つの右側連結部（第１右側連結部３７３ａ，第２右側連結部３７３ｂ）と、左側装着部側（左側装着部３８０側）に設けられた少なくとも２つの左側連結部（第１左側連結部３８３ａ，第２左側連結部３８３ｂ）とを備えている。そして、少なくとも２つのケース側連結部（第１ケース側連結部３５１及び第２ケース側連結部３５２）と少なくとも２つの右側連結部（第１右側連結部３７３ａ，第２右側連結部３７３ｂ）とがそれぞれ連結されることによりケース３１２が右側装着部３７０に取り付けられ、少なくとも２つのケース側連結部（第１ケース側連結部３５１及び第２ケース側連結部３５２）と少なくとも２つの左側連結部（第１左側連結部３８３ａ，第２左側連結部３８３ｂ）とがそれぞれ連結されることによりケース３１２が左側装着部（第１左側連結部３８３ａ，第２左側連結部３８３ｂ）に取り付けられる構成となっている。
【０１３６】
図３１、図３２、図３４のように、本構成では、２つのケース側連結部（第１ケース側連結部３５１及び第２ケース側連結部３５２）と２つの右側連結部（第１右側連結部３７３ａ，第２右側連結部３７３ｂ）が第１ガイド部に相当し、右側装着部３７０に対してケース３１２を着脱可能に連結し、且つ右側装着部３７０に対してケース３１２を連結した際に右側装着部３７０に対するケース３１２の姿勢が第１所定姿勢となるようにガイドする。また、２つのケース側連結部（第１ケース側連結部３５１及び第２ケース側連結部３５２）と、２つの左側連結部（第１左側連結部３８３ａ，第２左側連結部３８３ｂ）が、第２ガイド部に相当し、左側装着部３８０に対してケース３１２を着脱可能に連結し、且つ左側装着部３８０に対してケース３１２を連結した際に左側装着部３８０に対するケース３１２の姿勢が第２所定姿勢となるようにガイドする。
【０１３７】
図３１、図３２、図３４のように、本構成では、２つのケース側連結部として、永久磁石として構成される第１ケース側連結部３５１と、永久磁石として構成される第２ケース側連結部３５２とが設けられる。また、２つの右側連結部として、永久磁石として構成される第１右側連結部３７３ａと、永久磁石として構成される第２右側連結部３７３ｂとが設けられ、２つの左側連結部として、永久磁石として構成される第１左側連結部３８３ａと、永久磁石として構成される第２左側連結部３８３ｂとが設けられる。そして、第１ケース側連結部３５１は、第１右側連結部３７３ａ及び第１左側連結部３８３ａと極性が異なり、且つ第２右側連結部３７３ｂ及び第２左側連結部３８３ｂと極性が同じであり、第２ケース側連結部３５２は、第２右側連結部３７３ｂ及び第２左側連結部３８３ｂと極性が異なり、第１右側連結部３７３ａ及び第１左側連結部３８３ａと極性が同じになっている。
【０１３８】
この構成では、第１ケース側連結部３５１と第１右側連結部３７３ａとの極性が互いに異なり、これら第１ケース側連結部３５１と第１右側連結部３７３ａとが互いに吸引して連結される構成となっている。例えば、第１ケース側連結部３５１は、表面部がＮ極として構成された永久磁石として構成され、第１右側連結部３７３ａは、表面部がＳ極として構成された永久磁石として構成されており、互いの表面部が対向したときに吸引し合うようになっている。また、第２ケース側連結部３５２と第２右側連結部３７３ｂとの極性が互いに異なり、これら第２ケース側連結部３５２と第２右側連結部３７３ｂとが互いに吸引して連結される構成となっている。例えば、第２ケース側連結部３５２は、表面部がＳ極として構成された永久磁石として構成され、第２右側連結部３７３ｂは、表面部がＮ極として構成された永久磁石として構成されており、互いの表面部が対向したときに吸引し合うようになっている。
【０１３９】
更に、第１ケース側連結部３５１と第２右側連結部３７３ｂとが同極性であり、第２ケース側連結部３５２と、第１右側連結部３７３ａとが同極性である。上述の例では、第１ケース側連結部３５１は、表面部がＮ極として構成され、第２右側連結部３７３ｂも、表面部がＮ極として構成されているため、互いの表面部が対向したときに反発し合うようになっている。また、第２ケース側連結部３５２は、表面部がＳ極として構成され、第１右側連結部３７３ａも、表面部がＳ極として構成されているため、互いの表面部が対向したときに反発し合うようになっている。
【０１４０】
右側と同様に、第１ケース側連結部３５１と第１左側連結部３８３ａとの極性が互いに異なり、これら第１ケース側連結部３５１と第１左側連結部３８３ａとが互いに吸引して連結される構成となっている。例えば、第１ケース側連結部３５１は、表面部がＮ極として構成された永久磁石として構成され、第１左側連結部３８３ａは、表面部がＳ極として構成された永久磁石として構成されており、互いの表面部が対向したときに吸引し合うようになっている。また、第２ケース側連結部３５２と第２左側連結部３８３ｂとの極性が互いに異なり、これら第２ケース側連結部３５２と第２左側連結部３８３ｂとが互いに吸引して連結される構成となっている。例えば、第２ケース側連結部３５２は、表面部がＳ極として構成された永久磁石として構成され、第２左側連結部３８３ｂは、表面部がＮ極として構成された永久磁石として構成されており、互いの表面部が対向したときに吸引し合うようになっている。
【０１４１】
更に、第１ケース側連結部３５１と第２左側連結部３８３ｂとが同極性であり、第２ケース側連結部３５２と、第１左側連結部３８３ａとが同極性である。上述の例では、第１ケース側連結部３５１は、表面部がＮ極として構成され、第２左側連結部３８３ｂも、表面部がＮ極として構成されているため、互いの表面部が対向したときに反発し合うようになっている。また、第２ケース側連結部３５２は、表面部がＳ極として構成され、第１左側連結部３８３ａも、表面部がＳ極として構成されているため、互いの表面部が対向したときに反発し合うようになっている。
【０１４２】
このようなガイド部３５０によってケース３１２を各装着部３６６に取り付けることができるようになっており、取付時にケース３１２の向き（即ち、読取方向の向き）が安定するようになっている。また、装着部３６６及びガイド部３５０により、ケース３１２の前側部分（ケース３１２において、装着部３６６に支持される部分よりも前側に延び出た延出部）が使用者の耳から少なくとも前側に延びる構成でケース３１２を使用者の耳に取り付けることができるようになっている。
【０１４３】
また、ケース３１２における使用者側の側壁部（対向壁部３１２ａ）には、右側装着部３７０に形成された右側被嵌合部（表面部３７２）と嵌合可能に構成され、左側装着部３８０に形成された左側被嵌合部（表面部３８２）と嵌合可能に構成された底の浅い穴状（具体的には、ケース内側に凹んだ形状）の段差部３１３（嵌合部）が形成されており、ケース３１２が右側装着部３７０に取り付けられる時に、段差部３１３（嵌合部）と右側被嵌合部（表面部３７２）とが嵌合し、ケース３１２が左側装着部３８０に取り付けられる時に、段差部３１３（嵌合部）と左側被嵌合部（表面部３８２）とが嵌合する構成となっている。そして、凹んだ形状の段差部３１３の奥底部に２つのケース側連結部３５１、３５２が配置されており、嵌合時には表面部３７２又は表面部３８２が段差部３１３の凹みの内部に入り込み、その段差部３１３の奥底部に当接して嵌合するようになっている。これにより、磁石による位置保持だけでなく、嵌合による位置保持もなされ、装着時にケース３１２が大きく位置ずれしにくくなっている。特に、操作スイッチ４２ａや操作スイッチ４２ｂを押したときの位置ずれ抑制効果が高い構造となっている。
【０１４４】
また、ケース３１２において取付部３６０に取り付けられる側の壁部（対向壁部３１２ａ）には、音を導出する複数の導出孔３２０が形成されている。この導出孔３２０は、ケース３１２の内部に設けられた発音部４４（スピーカ等：図２）で発せられた音を外部に導出する放音孔として機能している。本構成では、ケース３１２が取付部３６０に取り付けられた取り付け時には、取付部３６０の一部をなす被覆部（具体的には、表面部３７２，３８２）によって導出孔３２０の少なくとも一部（例えば全部）が覆われ、ケース３１２が取付部３６０から取り外された取り外し時には、導出孔３２０において取り付け時に被覆部によって覆われる部分が露出する構成となっている。例えば、図２３等のように、ケース３１２が、右側装着部３７０に取り付けられたときには、右側装着部３７０の表面部３７２によって導出孔３２０の全部が覆われ、音の放出が抑制されるようになっている。一方、このような取付状態を解除し、ケース３１２が右側装着部３７０から取り外された取り外し時には、導出孔３２０において取り付け時に表面部３７２によって覆われる部分が露出する構成となっている。左側も同様であり、ケース３１２が、左側装着部３８０に取り付けられたときには、左側装着部３８０の表面部３８２によって導出孔３２０の全部が覆われ、音の放出が抑制されるようになっている。一方、このような取付状態を解除し、ケース３１２が左側装着部３８０から取り外された取り外し時には、導出孔３２０において取り付け時に表面部３８２によって覆われる部分が露出する構成となっている。なお、図３４における二点鎖線３６６ａの位置が、ケース３１２を装着部３６６に取り付けているときに表面部３７２又は表面部３８２に接触し、表面部３７２又は表面部３８２によって覆われる位置である。
【０１４５】
また、本構成では、図３３〜図３５のように、装置本体３１１を取付部３６０から取り外し、取付部３６０とは別で装置本体３１１を使用したり、メンテナンスしたりすることができる。そして、この装置本体３１１は、ケース３１２に対して、ケーブル３０２を保持する保持部材３９０が取り付けられた構成となっており、この保持部材３９０は、図３０、図３７のように、着脱が可能な構成となっている。また、この保持部材３９０には、ケーブル３０２と嵌合してケーブル３０２を支持するケーブル支持部３９１が形成されており、図３５のように、ケーブル支持部３９１からケーブル３０２を取り外して使用したり、管理したりすることもでき、図３８、図４１のように、ケーブル支持部３９１でケーブル３０２を保持して使用したり、管理したりすることもできるようになっている。まが、本構成では、図４２のように、ケーブル支持部３９１が被取付部（ケース３１２において、取付部３６０に保持される部分）の真裏の位置に配置され、ケーブル支持部３９１によってケーブル３０２がモーメントの中心部付近で保持されるため、ケーブル３０２が引っ張られたとしても、ケース３１２の向きが矢印のように変化しにくい構成となっている。
【０１４６】
読取装置１０を使用者に取り付ける場合、図３９、図４０のように、先に取付部３６０を使用者の両耳に掛け、その後、例えば図２３、図２９のように、右側装着部３７０又は左側装着部３８０のいずれかに装置本体３１１を取り付けるようにすれば、迅速且つ容易に取り付けることができる。また、このような方法に限られず、図４１のように組み付けた後に、読取装置１０を使用者に取り付けるようにしてもよい。
【０１４７】
次に、読取処理について説明する。本構成に係る読取装置１０でも、所定のトリガ条件の成立毎に、又は所定の開始条件の成立後に継続的に情報コードの読み取り処理を行うことができるようになっている。例えば、操作スイッチが押されたことを撮像開始のトリガとし、操作スイッチが押された後に継続的に撮像部２３による撮像処理を行い、情報コードが撮像範囲に入り込む毎にその情報コードを読み取るようにしてもよい。或いは、操作スイッチ４２とは異なるセンサ（第１実施形態や他の実施形態等で説明する様々なセンサ部４６）によって所定状態が検出されたことを条件として読み取りを開始するようにしてもよい。例えば、ケース３１２の前方方向に物体が近接したことを検出する公知の近接センサを設け、物体が近接したときに照明光源２１及びマーカ光照射部５０や撮像部２３を動作させて撮像し、解読を行うようにしてもよい。
【０１４８】
或いは、マイクから入力され音声を解析し、所定音声に該当するか否か（例えば一定量以上の音量が検出されたか否か、或いは所定波形の音声が検出されたか否か）を判断するようにすればよい。なお、この判断処理は、読取装置１０で行ってもよく、外部装置で行ってもよい。
【０１４９】
このような処理は、例えば図４３のような流れで行うこともできる。この図４３の例では、例えば、装置本体３１１に設けられたマイクから音声入力があった場合、読取装置１０からスマートフォン等の情報端末に音声データを送信する。そして、この情報端末は、読取装置１０から音声データの送信を受けた場合、その音声データをインターネット等の通信回線を介して管理サーバに送信する。そして、管理サーバでは、その音声データを解析して文字や記号などの情報に変換し、その変換後の情報（音声を解読した解読情報）を再び情報端末に送信する。情報端末には、予め複数のコマンドが用意されており、管理サーバから送信されてきた解読情報がいずれかのコマンドに該当する場合には、そのコマンドを読取装置１０に送信するように指令を与える。このような構成では、例えば、「スタート」という情報が情報端末に登録された開始コマンドである場合、使用者が「スタート」という音声を発した場合には、その音声が管理サーバで解析され、その後、情報端末に対し、解析後の「スタート」という解読情報が送信される。情報端末は、このような情報（開始コマンドに該当する解読情報）を管理サーバから受けた場合、読取装置１０に向けて読取開始を指示する指示情報を送信し、読取装置１０は、情報端末からこのような指示情報を受けたことをトリガとして読取処理を開始することになる。
【０１５０】
本構成に係る読取装置は、図２３、図２９のような装着方法、使用方法に限られず、様々な使用方法で使用することができる。例えば、ケーブル３０２に接続される外部装置Ｄ（図４７）は、図２３のように、腰に掛けて使用してもよく、図４４のように、使用者の胸のポケットに入れて使用してもよい。また、図４５、図４６のように、取付部３６０から装置本体３１１を一時的に或いは継続的に取り外して読み取りに使用してもよく、この場合も、図２３、図４４のように、外部装置Ｄは、様々な場所に配置しておくことができる。
【０１５１】
また、本構成では、図４７のように、ケーブル３０２は、外部装置Ｄ（読取作業の使用時に用いられる外部装置）に着脱可能に取り付けられるようになっており、図４８のように、外部装置Ｄから取り外して外部装置Ｄとは異なる外部機器ＰＣなどにも接続できるようになっている。外部装置Ｄの機能な様々であるが、装置本体３１１に電力を供給する供給源として機能していてもよく、装置本体３１１から情報（装置本体３１１で情報コードを解読したときの解読データ等）を記憶する記憶媒体として機能していてもよい。或いは、外部装置ＤにＣＰＵ等の制御回路を搭載しておき、撮像部２３で撮像されたコード画像を外部装置Ｄでデコードするようにしてもよい。
【０１５２】
本構成では、取付部３６０は、ケース３１２とは別体として構成され、使用者の顔の右側に配置されると共にケースを着脱可能な右側装着部と、使用者の顔の左側に配置されると共にケースを着脱可能な左側装着部とを有している。
この構成によれば、ケースを使用者の顔の右側にも左側にも装着可能となり、装着の自由度が増す。
【０１５３】
また、取付部３６０は、使用者の右耳に取り付けられる右耳取付部と、使用者の左耳に取り付けられる左耳取付部と、右耳取付部と左耳取付部とを連結する連結部とを有する。
この構成によれば、取付部が両耳に取り付けられるため、装着時の安定性が増し、顔の動きとケースとを、より安定的に連動させやすくなる。また、ケースを耳に取り付けることができるため、他の装着具（ヘルメットや眼鏡等）が使用される場合でも人体に装着しやすくなる。
【０１５４】
また、ケース及び取付部のいずれか一方には磁石が配置され、他方には磁石に吸引される吸引部が配置されており、ケースが右側装着部に装着される場合には、ケースと右側装着部とが磁石と吸引部との吸引によって保持され、ケースが左側装着部に装着される場合には、ケースと左側装着部とが磁石と吸引部との吸引によって保持される構成となっている。
この構成によれば、ケースを顔の右側に装着する場合でも、左側に装着する場合でも、磁石の吸引力を利用して容易に装着しやすくなる。また、取付部からのケースの取り外しや、付け替えなども容易に行いやすくなる。
【０１５５】
また、ケース又はケースに組み付けられた他部品には、右側装着部に形成された右側被嵌合部と嵌合可能に構成され、左側装着部に形成された左側被嵌合部と嵌合可能に構成された嵌合部が形成されており、ケースが右側装着部に取り付けられる時に、嵌合部と右側被嵌合部とが嵌合し、ケースが左側装着部に取り付けられる時に、嵌合部と左側被嵌合部とが嵌合する構成となっている。
この構成では、ケースが顔の右側に装着される場合でも、左側に装着される場合でも、嵌合状態で取り付けられるため、ケースが位置ずれしにくくなる。
【０１５６】
また、右側装着部に対してケースを着脱可能に連結し、且つ右側装着部に対してケースを連結した際に右側装着部に対するケースの姿勢が第１所定姿勢となるようにガイドする第１ガイド部と、左側装着部に対してケースを着脱可能に連結し、且つ左側装着部に対してケースを連結した際に左側装着部に対するケースの姿勢が第２所定姿勢となるようにガイドする第２ガイド部と、を有する。
この構成では、ケースが顔の右側に装着される場合でも、左側に装着される場合でも、取付部に対するケースの姿勢を安定的に定めることができる。
【０１５７】
また、ガイド部は、ケースに設けられた少なくとも２つのケース側連結部と、右側装着部に設けられた少なくとも２つの右側連結部と、左側装着部に設けられた少なくとも２つの左側連結部と、を備えており、少なくとも２つのケース側連結部と少なくとも２つの右側連結部とがそれぞれ連結されることによりケースが右側装着部に取り付けられ、少なくとも２つのケース側連結部と少なくとも２つの左側連結部とがそれぞれ連結されることによりケースが左側装着部に取り付けられる構成となっている。
この構成によれば、ケースが顔の右側に装着される場合でも、左側に装着される場合でも、取付部に定められた少なくとも２つの連結部に対し、ケースに設けられた２つの連結部（ケース側連結部）を合わせるように連結する構成であるため、ケースの向きが所望の方向を向くように、より正確に設定されやすくなる。
【０１５８】
また、２つのケース側連結部として、永久磁石として構成される第１ケース側連結部と、永久磁石として構成される第２ケース側連結部とが設けられ、２つの右側連結部として、永久磁石として構成される第１右側連結部と、永久磁石として構成される第２右側連結部とが設けられ、２つの左側連結部として、永久磁石として構成される第１左側連結部と、永久磁石として構成される第２左側連結部とが設けられ、第１ケース側連結部は、第１右側連結部及び第１左側連結部と極性が異なり、且つ第２右側連結部及び第２左側連結部と極性が同じであり、第２ケース側連結部は、第２右側連結部及び第２左側連結部と極性が異なり、第１右側連結部及び第１左側連結部と極性が同じになっている。
この構成では、ケースが顔の右側に装着される場合でも、左側に装着される場合でも、少なくとも２位置で磁石同士が引き合う力を利用してケースを適正な位置により強くより正確に導くことができ、位置合わせや連結の負担をより低減することができる。更に、ケースが顔の右側に装着される場合でも、左側に装着される場合でも、対応しない連結部同士を合わせるように逆に取り付けた場合、対応しない連結部同士が同極性であるため、各位置で連結部同士が反発し合うことになり、連結されないことになる。従って、ケースが顔の右側に装着される場合でも、左側に装着される場合でも、正規の向きの場合には、取付部に対するケースの位置合わせをより正確かつ迅速に行い易くなり、逆向きでの異常な連結については、より確実に防ぐことができる。
【０１５９】
また、取付部は、使用者のいずれかの耳に掛けられて支持される被支持部と、被支持部から延びる前側延出部と、前側延出部に連結されると共にケースを保持する保持部と、を少なくとも備え、使用者に取付部を取り付けた取付時に、前側延出部が被支持部よりも前側に延びて配置され、被支持部を支持する耳の耳孔よりも前位置に保持部が配置される構成となっている。
この構成では、ケースを保持する保持部が使用者の耳孔よりも前位置に配置されるため、保持部が使用者の耳孔を塞ぎにくくなる。
【０１６０】
また、保持部は、耳孔よりも前位置において使用者の顔に対向する裏面部と、裏面部の反対側に配置された表面部とを備えており、ケースを表面部で保持する構成となっている。
この構成では、ケースが使用者の顔から離れた位置に配置される表面部で保持されるため、表面部に保持されるケースが使用者の耳孔を塞ぎにくくなる。
【０１６１】
また、ケースにおいて取付部に取り付けられる側の壁部には、音を導出する導出孔が形成されており、ケースが取付部に取り付けられた取り付け時には、取付部の一部をなす被覆部によって導出孔の少なくとも一部が覆われ、ケースが取付部から取り外された取り外し時には、導出孔において取り付け時に被覆部によって覆われる部分が露出する構成となっている。
この構成では、ケースが顔の近くに配置されるような装着時には、導出孔を塞ぐことで相対的に音を抑制することができ、音発生源が使用者の耳の近くにある場合でも、使用者に大きな音が届きすぎることを抑えることができる。一方、ケースが顔から離れて使用されやすい非装着時には、導出孔を露出させることで相対的に音を大きくすることができ、音発生源が使用者の耳からある程度離れている場合でも、使用者に音が届きやすくなる。
【０１６２】
［他の実施形態]
本発明は上記記述及び図面によって説明した実施形態に限定されるものではなく、例えば次のような実施形態も本発明の技術的範囲に含まれる。
【０１６３】
第１実施形態の構成に加え、ケーブルを支持するケーブル支持部を設けるようにしてもよい。図１等の例では、取付部６０がケース１２の一方の壁部側（側壁部１３ｂ側）に設けられているが、ケース１２の一方の壁部とは反対の壁部（側壁部１３ａ）において取付部６０の裏側の位置に、ケース１２から引き出されたケーブル８０を支持するケーブル支持部が形成されていてもよい。例えば、図５に示す操作スイッチ４２の位置に、側壁部１３ａと一体的に又は側壁部１３ａに固定される環状の通し孔部を設けるようにしてもよい。或いは、他の位置から引き出されたケーブル８０を締結部材や固定治具によって取付部６０の裏側の位置に固定するようにしてもよい。或いは、ケーブル８０を引き出す位置自体を取付部６０の裏側の位置とし、ケース１２の一部（例えば、ケーブル８０を導通させる孔など）によってケーブル８０を保持するようにしてもよい。この構成では、ケース１２がある程度引っ張られても回転中心部となる取付部６０の裏側でケーブル８０が受けられ、取付部６０付近を中心とするモーメントが生じにくいため、ケース１２が回転しにくくなる。従って、使用者の顔に対する読取装置全体の相対的な向きが安定的に維持されやすくなる。また、第１実施形態や第２実施形態の構成において、第３実施形態と同様の保持部材３９０を用いてケーブル８０を保持するようにしてもよい。
【０１６４】
上記実施形態で用いたいずれの耳掛け部も、ケースの一部又はケースに連結された連結部に対して変位可能に設けられていてもよい。例えば、第１実施形態で例示した耳掛け部６２は、ケース１２の一部又はケース１２に連結された連結部（例えば耳挿入部６１）に対して変位可能に設けられていてもよい。例えば、図９に示す耳挿入部６１を、ケース１２に対して幅方向（Ｚ方向）の回転軸を中心として回転可能に構成し、使用者の左耳に耳掛け部６２を取り付ける場合の第１位置と、使用者の右耳に耳掛け部６２を取り付ける場合の第２位置とに位置決め可能とされていてもよい。或いは、耳掛け部６２を図９（Ａ）のように耳挿入部６１に固定し、その固定された耳掛け部６２の形状（固定位置以外の形状）が様々に変形可能となっていてもよい。この場合、強い力を加えない限り変形した各状態で形状が定まるように構成されているとよい。この構成によれば、使用者の右の耳にも左の耳にも読取装置を取り付けやすくなり、各耳に取り付けるときには、耳掛け部６２の位置をその耳に合わせた位置に位置決めしやすくなる。また、耳掛け部を変位可能或いは変形可能とする思想は、第３実施形態やその他の実施形態にも適用できる。
【０１６５】
第１実施形態では、ケース１２の内部又は外部にセンサ部４６が設けられているが、第１実施形態や他のいずれの実施形態でも、処理部は、少なくともセンサ部４６で所定の検出結果が得られたことを条件として情報コードの解読を行うようにしてもよい。いずれの実施形態でも、例えば、取付部６０が使用者の耳に取り付けられた所定状態をセンサ部４６が検知しうるように構成し、センサ部４６により所定状態（耳の近接や接触が検出された状態）が検知されたことを条件として、照明光源２１やマーカ光照射部５０による照射が開始されると共に撮像部２３による撮像が開始され、これに応じて処理部が情報コードの解読を行うようにしてもよい。また、使用者の耳に取り付けられた所定状態をセンサ部４６で検出する構成は上述の例に限られず、例えば、センサ部４６を複数軸の加速度センサ（三軸加速度センサ等）によって構成し、加速度センサ（三軸加速度センサ等）が一定時間の間、所定の加速度状態（例えば、いずれの軸も加速度変化量も一定値内に収まり、ほぼ移動が検出されない加速度状態）となった状態を、上記「所定状態」としてもよい。或いは、３軸センサ等で構成し、所定方向に重力加速度が生じている場合を「所定状態」として照射や解読を開始してもよい。或いは、歯のかみ合わせによる衝撃や、足の上げ下げ運動等で衝撃を与え指令をすることを想定し、衝撃に起因する所定の加速度変化を検出するようにしてもよい。
【０１６６】
いずれの実施形態のいずれの構成でも、例えば、電源投入後、或いは操作スイッチ４２の押圧操作後などの所定開始条件の成立後に、撮像部２３がケース１２の外部の画像を連続的又は断続的に撮像する構成とし、処理部は、このような連続的又は断続的に撮像される際に撮像部２３によって撮像された画像が所定状態となったことを条件として、その条件成立後に撮像部２３によって撮像された情報コードを解読する構成となっていてもよい。このような撮像部２３（カメラ）によって撮像画像を検出する方法としては、ジェスチャ指示（グー、チョキ、パー等手の形状で動きを変える当）の検出、動き検出（動作中は動いているが、コードを読む時は動きがなくなるので所定の静止画像の継続を検出）、設定用ＱＲコードのような物で指示照明を付けずに画像を監視、コードらしきものの検出、指の検出などが挙げられる。或いは、画像を構成する全画素の総輝度値が一定値以上となった状態を「所定状態」としてもよく、画像を構成する全画素の総輝度値が一定値以下となった状態を「所定状態」としてもよい。この構成では、撮像部２３で撮像された画像が所定状態となるまでは、処理部による解読処理を停止させて省電力化を図ることができ、撮像部２３にて所定状態の画像が撮像されるように対応をとることで解読開始状態に復帰させることができる。
【０１６７】
いずれの実施形態のいずれの構成でも、解読や照明開始のトリガとしては、マイク４３からの音声入力であってもよい。この場合、マイク４３から入力され音声を解析し、所定音声に該当するか否かを判断し、該当する場合に、照明光源２１の動作、マーカ光照射部５０の動作、撮像部２３の動作、撮像画像による情報コードの解読を行うようにすればよい。或いは、マイク４３から入力音声の音声量が一定値を超えた場合に、照明光源２１の動作、マーカ光照射部５０の動作、撮像部２３の動作、撮像画像による情報コードの解読を行うようにしてもよい。なお、マイク４３から入力された音声の判断処理は、読取装置１０で行ってもよく、外部装置で行ってもよい。
【０１６８】
いずれの実施形態でも、目の付近まで読取り口を伸ばし、センサ部４６として、図１３のように瞬き検出センサを設け、瞬き検出センサによって所定の検出結果が得られることを条件として照射や解読を開始してもよい。この場合、瞬きの回数や、目を閉じている時間によって指示をすることができる。センサ部４６として機能する瞬き検出センサは、例えば図１２のように構成し、まつ毛が光を遮り受光素子に光が返ってきた状態を瞬きの発生状態として検出すればよい。
【０１６９】
いずれの実施形態のいずれの構成でも、公知の測距センサ（レーザ方式や超音波方式等）を設け、読取装置１０の前側において所定距離以内に物体が配置されたか否かを検出するようにしてもよい。この場合、測距センサで所定の検出結果が得られたことを条件として、撮像部２３による撮像、照明光源２１やマーカ光照射部５０の動作、撮像画像の解読を開始すればよい。
【０１７０】
いずれの実施形態のいずれの構成でも、筋電センサを用い、顔の筋肉（頬筋、笑筋等）の変化を検出するようにしてもよい。この場合、筋電センサで所定の検出結果が得られたことを条件として撮像部２３による撮像、照明光源２１やマーカ光照射部５０の動作、撮像画像の解読を開始すればよい。
【０１７１】
第１実施形態では、取付部６０として、耳挿入部６１及び耳掛け部６２を設けていたが、耳挿入部や耳掛け部を用いるいずれの構成でも、耳挿入部又は耳掛け部若しくはこれらの両方を着脱可能としてもよい。その一例としては、例えば、イヤホンとして構成される耳挿入部６１を図１４、図１５のように着脱可能とすることができる。図１４の例では、イヤホンとして構成される耳挿入部６１において、端子６９が設けられ、この端子６９がケースに形成された孔（端子）１８に差し込み可能とされている。そして、端子６９が孔１８に差し込まれたときには、ケース１２側から耳挿入部６１側に音声信号が送信され、この音声信号に基づいて耳挿入部６１から音声が発せられるようになっている。一方、図１４、図１５のように、孔１８にイヤホンが挿し込まれていない場合（例えば、孔１８に何も挿し込まれていない場合、或いは、音声信号の伝送対象となる媒体が挿し込まれていない場合）には、ケース１２側に設けられた図示しない情報報知部によって情報の報知が可能とされている。この情報報知部は、例えばスピーカ等であってもよく、この場合、耳挿入部６１が孔１８に差し込まれていない場合、耳挿入部６１に代わってスピーカから音が発せられることになる。また、情報報知部は、表示部（モニタやランプ等）やバイブレータ等であってもよい。また、情報報知部は、耳挿入部６１が孔１８に差し込まれている場合、情報の報知を行わないようにしてもよく、行うようにしてもよい。
この構成によれば、取付部をケースから取り外し、例えば手持ち式などとして使用しやすくなる。また、取付部を取り外して使用する場合でも、情報を報知することが可能となり、利便性が一層高まる。
また、図１４、図１５のように耳挿入部や耳掛け部を着脱可能とし、交換可能とすることで、使う人毎に取付部を交換するといった対応も可能となる。従って、他人が使用した部品を耳への取付に使用することを望まない使用者にとっては有用となる。また、耳挿入部や耳掛け部のサイズを多数揃えて交換可能とするといった対応も可能となる。
また、図１４、図１５のように、耳挿入部を着脱可能に構成する場合、図１４のような孔１８（端子６９を挿入する孔）と同様の構成及び機能を有する孔を側壁部１３ｂとは反対側の側壁部１３ａに形成し、端子６９を挿入できるようにしてもよい。この場合、右耳に装着する場合には、耳挿入部６１の端子６９を孔１８に挿入するように固定し、左耳に装着する場合には耳挿入部６１の端子６９を孔１８とは反対側の孔に挿入するように固定すればよい。
また、上述した図１４、図１５の構成のように、耳挿入部６１又は耳掛け部６２若しくはこれらの両方を着脱可能とした場合、これらいずれかの取付部又は両取付部を取り外した後に、その取り外した当該取付部とは異なる他の取付部材を取り付けるようにしてもよい。例えば、図１６の例は、図１４、図１５のように耳挿入部６１を着脱可能とした場合に、耳挿入部６１に代えて取付部材（クリップ）１６０をケース１２に取り付ける例を示している。この取付部材１６０は、弾性変形可能な金属材料などの弾性部材１６２が設けられ、弾性部材１６２の一端部１６２ａが本体部１６４に固定され、他端部１６２ｂ側が撓み変形可能に構成されると共に、本体部１６４に接触する側に付勢されるようになっている。そして、他端部１６２ｂと、本体部１６４との間に物体を挟み込むことができるようになっている。従って、取付部材１６０をケース１２に固定して用いれば、これをクリップとして機能させることでケース１２を服などに取り付けて用いることができる。
このようにいずれかの取付部又は他の取付部を取り外して他機能の別部品を取り付け可能とするように交換可能な構成とすることで、利便性の面で一層有利になる。
【０１７２】
また、いずれの実施形態のいずれの構成でも、第１実施形態と同様の発音部４４を設け、発音部４４から発せられる音（例えば、イヤホンとして構成される耳挿入部６１から発せられる音）の音量を調整する音量調整部を設けるようにしてもよい。例えば、ケース１２にツマミや音量調整ボタン（音量増大ボタンや音量減少ボタンなど）などの操作部を設け、この操作部によって増大の指示があった場合には発音部４４からの音を公知の方法で増大させ、操作部によって減少の指示があった場合には、発音部４４からの音を公知の方法で減少させるようにしてもよい。この構成によれば、当該情報コード読取装置で発せられる音の音量を装置内で調整できるようになる。
【０１７３】
第１実施形態等では、処理部の一例として、制御回路４０を例示し、制御回路４０による撮像部によって撮像された情報コードの画像の処理として当該情報コードのコード画像を解読する構成を例示したが、いずれの実施形態のいずれの構成でも、撮像部によって撮像された情報コードの画像の処理はこれに限られない。例えば、撮像部によって撮像された情報コードの画像データを外部装置（装置本体とケーブルで接続された外部装置や、装置本体とケーブル接続されていない外部装置など）に送信するような処理であってもよい。この場合、情報コードの画像を送信された外部装置側にて当該画像データを解読すればよい。これにより、外部装置（具体的には、制御回路（ＣＰＵ等）、メモリ等を備えた情報処理装置として構成される外部装置）の制御回路を外部処理部として機能させることができる。
【０１７４】
第２実施形態の代表例及び変更例として、第１実施形態の特徴の全てを含む構成を例示したが、第３実施形態の特徴の全てを含む構成において、第２実施形態の代表例又は変更例のような制御を行ってもよい。或いは、他の実施形態で説明したいずれかの構成において、第２実施形態の代表例又は変更例のような制御を行ってもよい。
【０１７５】
上記実施形態では、スピーカやイヤホンなどの発音部４４（図２）を設けた例を示したが、いずれの実施形態のいずれの構成でも、発音部４４の駆動方式は、ダイナミック型、マグネチック型、バランスド・アーマチュア型、ハイブリッド型、圧電型、クリスタル型、静電型などの公知の様々な駆動方式を用いることができる。また、、いずれの実施形態のいずれの構成でも、発音部４４の駆動方式は、使用者に音を伝達可能な駆動方式であれば良く、例えば、骨伝導によって使用者に音を伝達する骨伝導式のスピーカやイヤホンなどであってもよい。
【０１７６】
いずれの実施形態のいずれの構成でも、撮像部２３で撮像した情報コードの画像データをケース側（即ち、装置本体側）から外部装置（例えば、第３実施形態の外部装置Ｄ）に送信し、外部装置で解読を行うようにしてもよい。いずれの実施形態のいずれの構成でも、撮像部２３で撮像した情報コードをケース内（即ち、装置本体内）で解読し、その解読して得られた解読データを外部装置に送信してもよい。この場合、外部装置では、例えば、その解読データが予め当該外部装置又は当該外部装置と通信可能に設けられた他装置に登録された登録データと一致するか否かを照合し、その照合結果をケース側（装置本体側）に送信すればよい。
【０１７７】
いずれの実施形態のいずれの構成でも、電池は、身体に装着されるケース内に設けられていてもよく、ケースとケーブルを介して接続される外部装置（例えば、第３実施形態の外部装置Ｄなど）の内部に設けられていてもよい。
【０１７８】
第３実施形態では、右側装着部３７０と左側装着部３８０とが設けられた取付部３６０を例示したが、第３実施形態や同様の取付部を有する他の実施形態のいずれの構成でも、取付部は、右側装着部のみの構成や左側装着部のみの構成であってもよい（即ち、ケースを取り付ける装着部をいずれか一方の耳側のみに設ける構成であってもよい）。この場合、第３実施形態の取付部３６０の構成から単にいずれかの装着部のみを省略すればよい。
【０１７９】
第３実施形態では、ケース３１２及び取付部３６０の両方に磁石が配置された構成を例示したが、いずれか一方に磁石が配置され、他方には鉄等の磁性体（磁石に吸引される吸引部）が配置されていてもよい。例えば、ケース３１２側には、第３実施形態と同様の磁石（第１ケース側連結部３５１及び第２ケース側連結部３５２）を配置しておき、右側装着部３７０の第１右側連結部３７３ａ及び第２右側連結部３７３ｂと、左側装着部３８０の第１左側連結部３８３ａ及び第２左側連結部３８３ｂを鉄等の磁性体に代えるようにしてもよい。この場合でも、ケース３１２が右側装着部３７０に装着される場合には、ケース３１２と右側装着部３７０とが磁石（第１ケース側連結部３５１及び第２ケース側連結部３５２）と吸引部（第１右側連結部３７３ａ及び第２右側連結部３７３ｂ）との吸引によって保持され、ケース３１２が左側装着部３８０に装着される場合には、ケース３１２と左側装着部３８０とが磁石（第１ケース側連結部３５１及び第２ケース側連結部３５２）と吸引部（第１左側連結部３８３ａ及び第２左側連結部３８３ｂ）との吸引によって保持される構成となる。或いは、ケース３１２側に鉄等の磁性体（吸引部）を配置し、取付部３６０側に磁石を配置してもよい。例えば、第１ケース側連結部３５１及び第２ケース側連結部３５２を鉄等の磁性体（吸引部）とし、第１右側連結部３７３ａ及び第２右側連結部３７３ｂと、第１左側連結部３８３ａ及び第２左側連結部３８３ｂとを第３実施形態と同様の磁石としてもよい。
【０１８０】
第３実施形態や他の実施形態では、第１ガイド部として、少なくとも２つのケース側連結部と少なくとも２つの右側連結部とがそれぞれ連結されることによりケースを右側装着部に取り付ける構成を例示したが、いずれの構成でも、３以上のケース側連結部と３以上の右側連結部とがそれぞれ連結されることによりケースを右側装着部に取り付ける構成であってもよい。また、第２ガイド部として、２つのケース側連結部と２つの左側連結部とがそれぞれ連結されることによりケースを左側装着部に取り付ける構成を例示したが、いずれの構成でも、３以上のケース側連結部と３以上の左側連結部とがそれぞれ連結されることによりケースを左側装着部に取り付ける構成であってもよい。また、１つのケース側連結部と１つの右側連結部とがそれぞれ連結されることによりケースを右側装着部に取り付ける構成であってもよい。また、１つのケース側連結部と１つの左側連結部とがそれぞれ連結されることによりケースを左側装着部に取り付ける構成であってもよい。
【０１８１】
第３実施形態や他の実施形態では、第１ガイド部として、少なくとも２つのケース側連結部と少なくとも２つの右側連結部とが磁石によってそれぞれ連結されることによりケースを右側装着部に取り付ける構成を例示したが、少なくとも２つのケース側連結部と少なくとも２つの右側連結部とが嵌合構造や係止構造によって連結されてもよい。また、少なくとも２つのケース側連結部と少なくとも２つの右側連結部とがそれぞれシート状に構成され、各ケース側連結部が対応する右側連結部と面ファスナー構造で連結されてもよい。また、第２ガイド部として、２つのケース側連結部と２つの左側連結部とがそれぞれ連結されることによりケースを左側装着部に取り付ける構成を例示したが、２つのケース側連結部と２つの左側連結部とが嵌合構造や係止構造によって連結されてもよい。また、少なくとも２つのケース側連結部と少なくとも２つの右側連結部とがそれぞれシート状に構成され、各ケース側連結部が対応する左側連結部と面ファスナー構造で連結されてもよい。
【０１８２】
第３実施形態や他の実施形態の構成において、ケースを取り付ける部分（第３実施形態では表面部３７２、表面部３８２）を、体に取り付ける部分（第３実施形態では右耳取付部３６２ａ、左耳取付部３６２ｂ）に対して変位可能に構成してもよい。例えば、右耳取付部３６２ａに固定される裏面部３７１と表面部３７２とを分離すると共に、裏面部３７１に対して表面部３７２をラチェット構造や球面対偶構造などによって変位可能としてもよい。同様に、左耳取付部３６２ｂに固定される裏面部３８１と表面部３８２とを分離すると共に、裏面部３８１に対して表面部３８２をラチェット構造や球面対偶構造などによって変位可能としてもよい。
【０１８３】
第３実施形態では、右耳取付部３６２ａとして、右耳掛け部を例示したが、右耳に取り付け可能な構成であればよい。例えば、第１実施形態と同様の耳挿入部を右耳の耳孔に挿入して取り付ける構成であってもよく、右耳を挟んで取り付ける構成であってもよい。或いは、右耳に掛ける構成と、右耳の耳孔に挿入する構成や右耳を挟んで取り付ける構成とを併用してもよい。例えば、第３実施形態の右耳取付部３６２ａ（右耳掛け部）と第１実施形態の耳挿入部を併用しても右耳に取り付けてもよい。また、左耳取付部として、左耳掛け部を例示したが、左耳に取り付け可能な構成であればよい。例えば、第１実施形態と同様の耳挿入部を左耳の耳孔に挿入して取り付ける構成であってもよく、左耳を挟んで取り付ける構成であってもよい。或いは、左耳に掛ける構成と、左耳の耳孔に挿入する構成や左耳を挟んで取り付ける構成とを併用してもよい。例えば、第３実施形態の左耳取付部３６２ｂ（左耳掛け部）と第１実施形態の耳挿入部を併用して左耳に取り付けてもよい。
【０１８４】
第３実施形態では、右耳側でも左耳側でも、反対向きに取り付けようとした場合（即ち、対応しない連結部同士を装着しようとした場合）に装着されない構成を例示したが、このような思想は第３実施形態の例に限られない。例えば、第３実施形態の構成において、第２ケース側連結部３５２、第１右側連結部３７３ａ、第１左側連結部３８３ａのみを鉄等の磁性体に代えてもよい。或いは、第３実施形態の構成において、第１ケース側連結部３５１、第２右側連結部３７３ｂ、第２左側連結部３８３ｂのみを鉄等の磁性体に代えてもよい。この場合も、左側でも、右側でも、反対向きに取り付けようとした場合、磁石同士が反発する関係となり、装着されないことになる。
【０１８５】
第３実施形態では、ケース３１２が取付部３６０に取り付けられた取り付け時には、取付部３６０の一部をなす被覆部（表面部３７２又は表面部３８２）によって導出孔３２０が全て覆われ、ケース３１２が取付部３６０から取り外された取り外し時には、導出孔３２０において取り付け時に被覆部（表面部３７２又は表面部３８２）によって覆われる部分（即ち、全ての導出孔３２０）が露出する構成を例示したがこの例に限られない。例えば、ケース３１２が取付部３６０に取り付けられた取り付け時には、被覆部（表面部３７２又は表面部３８２）によって導出孔３２０の一部のみが覆われ、ケース３１２が取付部３６０から取り外された取り外し時には、導出孔３２０において取り付け時に被覆部（表面部３７２又は表面部３８２）によって覆われる部分（即ち、一部の導出孔）が露出する構成であってもよい。
【０１８６】
上記実施形態では、取付部が使用者の人体に掛けられる構成として、主に、耳に掛けられる構成を例示したが、例えば、取付部が使用者の首から上に掛けられる他の構成を用いてもよい。例えば、取付部を使用者の頭に掛ける構成とし、この取付部にケースを着脱可能に取り付けてもよく、取付部を使用者の首に掛ける構成とし、この取付部にケースを着脱可能に取り付けてもよい。
【０１８７】
第３実施形態や同様の構成を適用する他の構成では、取付部３６０に対してケース３１２を磁石によって保持できる構造となっている。この構成では、取付部３６０とは別で据置型の取付部材を設け、この取付部材に磁性体を設けた構造（例えば、表面部３７２や表面部３８２と同様の構造）を設ければ、装置本体３１１を取付部３６０から取り外し、素の据置型の取付部材に取り付けて固定式スキャナとして用いることもできる。
【０１８８】
第３実施形態や同様の構成を適用する他の構成では、取付部形状や永久磁石の位置、構造等を第三者に公開することで、ユーザなどの第三者が自由に取付部を準備することができるようになる。
【符号の説明】
【０１８９】
１…読取システム
１０…携帯型情報コード読取装置
１２，３１２…ケース
１２ｃ，３１７…延出部
１４，３１４…読取口
２１…照明光源（報知部、光源）
２３…撮像部
４０…制御回路（処理部、照射制御部、報知部、音声案内部、情報報知部、音量調整部、解読部、判定部、照射状態制御部）
４２…操作スイッチ
４４…発音部（報知部、音声案内部、情報報知部）
４６…センサ部
４８…通信部
５０…マーカ光照射部
６０，３６０…取付部
６１…耳挿入部
６１ａ…導出孔（導出部）
６２…耳掛け部
７１…第１固定部
７２…第２固定部
８０，３０２…ケーブル
１００…情報コード
１６０…他の取付部材
２２１ａ…青色ＬＥＤ（光源）
２２１ｂ…赤色ＬＥＤ（光源）
２２１ｃ…プロジェクタ（光源）
３１３…段差部（嵌合部）
３１７…延出部
３２０…導出孔
３５１…第１ケース側連結部（第１ガイド部、第２ガイド部）
３５２…第２ケース側連結部（第１ガイド部、第２ガイド部）
３６２ａ…右耳取付部（耳掛け部、右耳掛け部、被支持部）
３６２ｂ…左耳取付部（耳掛け部、左耳掛け部、被支持部）
３６２ｃ…中間連結部
３６３ａ…前側延出部
３６３ｂ…前側延出部
３７０…右側装着部（保持部）
３７１…裏面部
３７２…表面部（右側被嵌合部、被覆部）
３７３ａ…第１右側連結部（第１ガイド部）
３７３ｂ…第２右側連結部（第１ガイド部）
３８０…左側装着部（保持部）
３８１…裏面部
３８２…表面部（左側被嵌合部、被覆部）
３８３ａ…第１左側連結部（第２ガイド部）
３８３ｂ…第２左側連結部（第２ガイド部）
３９１…ケーブル支持部
Ｄ…外部装置
【図１】
2014167791.tif 000003
【図２】
2014167791.tif 000004
【図３】
2014167791.tif 000005
【図４】
2014167791.tif 000006
【図５】
2014167791.tif 000007
【図６】
2014167791.tif 000008
【図７】
2014167791.tif 000009
【図８】
2014167791.tif 000010
【図９】
2014167791.tif 000011
【図１０】
2014167791.tif 000012
【図１１】
2014167791.tif 000013
【図１２】
2014167791.tif 000014
【図１３】
2014167791.tif 000015
【図１４】
2014167791.tif 000016
【図１５】
2014167791.tif 000017
【図１６】
2014167791.tif 000018
【図１７】
2014167791.tif 000019
【図１８】
2014167791.tif 000020
【図１９】
2014167791.tif 000021
【図２０】
2014167791.tif 000022
【図２１】
2014167791.tif 000023
【図２２】
2014167791.tif 000024
【図２３】
2014167791.tif 000025
【図２４】
2014167791.tif 000026
【図２５】
2014167791.tif 000027
【図２６】
2014167791.tif 000028
【図２７】
2014167791.tif 000029
【図２８】
2014167791.tif 000030
【図２９】
2014167791.tif 000031
【図３０】
2014167791.tif 000032
【図３１】
2014167791.tif 000033
【図３２】
2014167791.tif 000034
【図３３】
2014167791.tif 000035
【図３４】
2014167791.tif 000036
【図３５】
2014167791.tif 000037
【図３６】
2014167791.tif 000038
【図３７】
2014167791.tif 000039
【図３８】
2014167791.tif 000040
【図３９】
2014167791.tif 000041
【図４０】
2014167791.tif 000042
【図４１】
2014167791.tif 000043
【図４２】
2014167791.tif 000044
【図４３】
2014167791.tif 000045
【図４４】
2014167791.tif 000046
【図４５】
2014167791.tif 000047
【図４６】
2014167791.tif 000048
【図４７】
2014167791.tif 000049
【図４８】
2014167791.tif 000050